(57)【要約】  相関部３２は、順次、ベースバンド信号と参照信号との相関値を求め、求めた参照信号を区間分割部３３へ出力する。相関部３２の出力は区間分割部３３によってシンボル時間毎に区切られ、区間ポジション検出部３４は相関部３２によって区切られた各々の区間において最大の相関値を検出し、検出した最大の相関値の相対的なポジションを示す第１ポジション情報を同期判定部３５へ出力する。同期判定部３５は各々の区間の第１ポジション情報に基づいてパケット信号の到来の検出及びシンボルタイミングの推定を行う。
2007125846.tif 000002
【特許請求の範囲】
【請求項１】
送信側でパケット信号の先頭に複数付加される所定パターンの信号波形であるシンボルに基づいて受信信号からパケット信号の到来の検出を行う信号検出装置において、
順次、受信信号と前記シンボルに基づく参照信号との相関値を求め、当該相関値を出力する相関手段と、
前記相関手段の出力を一定時間毎に区切る区間分割手段と、
前記区間分割手段により区切られた各々の区間において、区間に属する相関値の中から所定の条件を満たす相関値を検出し、検出した相関値の区間内における相対的なポジションを示すポジション情報を出力する区間ポジション検出手段と、
前記区間ポジション検出手段から出力される各々の区間のポジション情報に基づいてパケット信号の到来の検出を行う同期判定手段と、
を備えることを特徴とする信号検出装置。
【請求項２】
前記所定の条件を満たす相関値は区間における最大の相関値であることを特徴とする請求項１記載の信号検出装置。
【請求項３】
前記所定の条件を満たす相関値は区間における値の大きい方から所定番目までの相関値であることを特徴とする請求項１記載の信号検出装置。
【請求項４】
前記所定の条件を満たす相関値は区間に設定される閾値より大きい相関値であり、
各々の区間において、区間に属する相関値の平均値を求める区間平均値演算手段と、
各々の区間において、前記区間平均値演算手段により求められる区間に属する相関値の平均値に基づいて当該区間の閾値を決定し、決定した閾値を前記区間ポジション検出手段に設定する区間閾値決定手段と、
を更に備え、
前記区間ポジション検出手段は、前記所定の条件を満たす相関値の検出を、相関値と当該相関値が属する区間に設定された閾値とを比較することにより行う
ことを特徴とする請求項１記載の信号検出装置。
【請求項５】
前記一定時間は、１シンボルの時間の長さの正の整数倍の時間であることを特徴とする請求項１記載の信号検出装置。
【請求項６】
前記同期判定手段は、前記ポジション情報が示すポジションが連続する所定の連続数以上の区間において同じである場合に前記パケット信号が到来したと判断する
ことを特徴とする請求項２記載の信号検出装置。
【請求項７】
相対的なポジションの各々について、所定の積算区間数の区間にわたって同じ相対的なポジションの相関値を積算する相関値積算手段と、
前記相関値積算手段により積算される積算値の中から所定の判定ポジション条件を満たす積算値を検出し、検出した前記判定ポジション条件を満たす積算値のポジションを示す判定ポジション情報を出力する判定ポジション検出手段と、
を更に備え、
前記同期判定手段は、前記パケット信号の到来の検出を、前記判定ポジション検出手段から出力される判定ポジション情報が示すポジションにおいて行う
ことを特徴とする請求項１記載の信号検出装置。
【請求項８】
前記判定ポジション条件を満たす積算値は最大の積算値であることを特徴とする請求項７記載の信号検出装置。
【請求項９】
前記同期判定手段は、前記積算区間数の区間において、前記ポジション情報が示すポジションと前記判定ポジション情報が示すポジションとが一致する区間が所定の一致区間数以上存在する場合に前記パケット信号が到来していると判断する
ことを特徴とする請求項７に記載の信号検出装置。
【請求項１０】
前記参照信号を記憶する記憶手段と、
受信したパケット信号に基づいて新たな参照信号を求め、前記記憶手段に記憶する参照信号を当該新たな参照信号に更新する参照信号演算手段と、
を更に備え、
前記相関手段は、前記相関値の算出を前記記憶手段に記憶されている参照信号を用いて行う
ことを特徴とする請求項１記載の信号検出装置。
【請求項１１】
前記記憶手段に記憶する参照信号を前記所定パターンの信号波形と同じ信号波形の信号に所定のリセット条件に基づいて更新するリセット手段
を更に備えることを特徴とする請求項１０記載の信号検出装置。
【請求項１２】
前記同期判定手段は、更に、前記区間ポジション検出手段から出力される各々の区間のポジション情報に基づいてシンボルタイミングの推定を行い、
順次、受信信号と前記シンボルと同じ信号波形の信号との相関値を求め、当該相関値を出力する第１相関手段と、
前記第１相関手段の出力を一定時間毎に区切る分割する第１区間分割手段と、
前記第１区間分割手段により区切られた各々の区間において、区間に属する相関値の中から前記所定の条件を満たす相関値を検出し、検出した相関値の区間内における相対的なポジションを示すサブポジション情報を出力する第１区間ポジション検出手段と、
前記第１区間ポジション検出手段から出力される各々の区間のサブポジション情報に基づいてパケット信号の到来の検出及びシンボルタイミングの推定を行う第１同期判定手段と、
前記同期判定手段により推定されるシンボルタイミングと前記第１同期判定手段により推定されるシンボルタイミングとの合成を行う合成手段と、
を更に備えることを特徴とする請求項１０に記載の信号検出装置。
【請求項１３】
前記参照信号の算出に用いる前記受信したパケット信号は、到来が検出されたパケット信号であることを特徴とする請求項１０記載の信号検出装置。
【請求項１４】
前記参照信号の算出に用いる前記受信したパケット信号は、到来が検出されたパケット信号であって、ヘッダ情報に誤りが検出されなかったパケット信号であることを特徴とする請求項１０記載の信号検出装置。
【請求項１５】
前記参照信号の算出に用いる前記受信したパケット信号は、到来が検出されたパケット信号であって、パケット信号全体に誤りが検出されなかったパケット信号であることを特徴とする請求項１０記載の信号検出装置。
【請求項１６】
前記参照信号演算手段は、前記参照信号の算出を、最新に受信したパケット信号に基づいて行うことを特徴とする請求項１０記載の信号検出装置。
【請求項１７】
前記参照信号演算手段は、前記参照信号の算出を、最新に受信したパケット信号から所定のパケット数分のパケット信号に基づいて行うことを特徴とする請求項１０記載の信号検出装置。
【請求項１８】
前記参照信号演算手段は、前記参照信号の算出を、受信したパケット信号の先頭に付加された複数のシンボルのうち最後尾のシンボルに基づいて行うことを特徴とする請求項１０記載の信号検出装置。
【請求項１９】
前記参照信号演算手段は、前記参照信号の算出を、受信したパケット信号の先頭に付加された複数のシンボルのうち、最後尾から所定のシンボル数分のシンボルに基づいて行うことを特徴とする請求項１０記載の信号検出装置。
【請求項２０】
前記参照信号演算手段は、前記参照信号の算出を、受信したパケット信号の先頭に付加された複数のシンボルのうち、所定の電力範囲内にあるシンボル又は所定の振幅範囲内にあるシンボルに基づいて行うことを特徴とする請求項１０記載の信号検出装置。
【請求項２１】
前記リセット条件はパケット信号の誤りが所定のパケット数のパケットで検出されることであることを特徴とする請求項１１記載の信号検出装置。
【請求項２２】
前記リセット条件はパケット信号のヘッダ情報の誤りが所定のパケット数のパケットで検出されることであることを特徴とする請求項１１記載の信号検出装置。
【請求項２３】
前記リセット条件は前記記憶手段に記憶されている前記参照信号が所定時間更新されないことであることを特徴とする請求項１１記載の信号検出装置。
【請求項２４】
前記リセット条件は、パケット信号が所定回数到来していると推定される場合に、前記同期判定手段がパケット信号の到来を検出できないことであり、
受信信号の受信電力レベルを計測し、計測した受信電力レベルに基づいてパケット信号の到来を推定する推定手段を更に備え、
前記リセット手段は、前記リセット条件に基づく前記記憶手段の記憶内容の更新を、前記推定手段によるパケット信号の到来の推定結果及び前記同期判定手段によるパケット信号の到来の検出結果に基づいて行う
ことを特徴とする請求項１１記載の信号検出装置。
【請求項２５】
送信側でパケット信号の先頭に複数付加される所定パターンの信号波形であるシンボルに基づいて受信信号からパケット信号の到来の検出を行う信号検出方法において、
順次、受信信号と前記シンボルに基づく参照信号との相関値を求め、当該相関値を出力する相関ステップと、
前記相関ステップにおける出力を一定時間毎に区切る区間分割ステップと、
前記区間分割ステップで区切られた各々の区間において、区間に属する相関値の中から所定の条件を満たす相関値を検出し、検出した相関値の区間内における相対的なポジションを示すポジション情報を出力する区間ポジション検出ステップと、
前記区間ポジション検出ステップにおいて出力される各々の区間のポジション情報に基づいてパケット信号の到来の検出を行う同期判定ステップと、
を有することを特徴とする信号検出方法。
【発明の詳細な説明】
【技術分野】
【０００１】
本発明は、パケット信号の先頭に複数付加される所定パターンの信号波形に基づいてパケット信号の到来を検出する技術に関する。
【背景技術】
【０００２】
近年、無線ＬＡＮ（Local Area Network）が急速に普及している。無線ＬＡＮの規格には、例えば、５．２ＧＨｚ帯を用いたＩＥＥＥ（Institute of Electrical and Electronic Engineers）８０２．１１ａや２．４ＧＨｚ帯を用いたＩＥＥＥ８０２．１１ｇなどの規格がある。ＩＥＥＥ８０２．１１ａ及びＩＥＥＥ８０２．１１ｇでは、ＯＦＤＭ(Orthogonal Frequency Division Multiplexing)と呼ばれるマルチキャリア通信方式を用いて通信が行われる。【０００３】
ここで、ＯＦＤＭを用いた無線ＬＡＮの通信方式において、受信機に備えられた信号検出装置におけるパケット信号の検出処理について概要を説明する。
送信機は、パケット信号の先頭に、トレーニングシンボルを複数回繰り返した繰り返し信号を付加し、受信機宛にパケット信号を送信する。但し、トレーニングシンボルは所定パターンの信号波形をしたシンボルである。なお、対象とする無線ＬＡＮの規格が、例えば、ＩＥＥＥ８０２．１１ａの規格である場合、トレーニングシンボルはショートトレーニングシンボルと呼ばれる。【０００４】
信号検出装置は、受信信号と予め内部記憶している参照信号との相関値を順次求める。信号検出装置は、相関値の各々と受信信号電力レベルに応じて決定された閾値とを比較し、閾値を超える相関値の時間軸上のポジションを検出する。そして、信号検出装置は、検出した隣り合うポジションの時間間隔が連続してトレーニングシンボルの繰り返し周期であった場合に、パケット信号が到来していると判断し、パケット信号を復調する基準のシンボルタイミングを推定する（例えば、特許文献１参照。）。【０００５】
なお、従来技術において用いられる参照信号は、送信機によってトレーニングシンボルがパケット信号の先頭に付加された時点の当該トレーニングシンボルの信号波形と同じ信号である。
【特許文献１】特開２００１−１２７７４５号公報
【発明の開示】
【発明が解決しようとする課題】
【０００６】
しかしながら、無線伝送路が変動するため、無線伝送路を伝送して受信機に受信されるトレーニングシンボルの受信電力レベルは変動する。また、トレーニングシンボルには無線伝送路による波形歪が生じる。このため、受信機が受信したトレーニングシンボルと参照信号との相関値は、通常一定の値にならず、受信したトレーニングシンボル毎に異なった値となる。【０００７】
例えば、受信中のトレーニングシンボルの受信電力レベルが低下すると、トレーニングシンボルと参照信号との相関値は小さくなる。このため、受信中のトレーニングシンボルの受信電力レベルが低下すれば、本来なら閾値を超えるはずのトレーニングシンボルと参照信号との相関値が閾値以下になる可能性が高くなる。つまり、本来検出されるべきトレーニングシンボルの到来タイミングに相当するポジションの検出が行われない可能性が高くなる。従って、従来の信号検出装置は、受信中のトレーニングシンボルの受信電力レベルが低下すれば、パケット信号の到来の検出能力が低下する。【０００８】
また、信号検出装置を備える受信機の通信エリアに他の無線通信システムの送信機及び受信機（以下、これらを干渉局と言う。）が存在することがある。この環境では、受信機が受信する受信信号には干渉局が送信したパケット信号（以下、干渉信号と言う。）が含まれることがあり、受信電力レベルに応じて決定される閾値は干渉信号の影響を受ける。
例えば、干渉信号の受信電力レベルが大きくなると、受信信号電力レベルに基づいて決定される閾値は大きくなる。このため、干渉信号の受信電力レベルが大きくなれば、受信中のトレーニングシンボルと参照信号との相関値が閾値以下になる可能性が高くなる。つまり、本来検出されるべきトレーニングシンボルが到来したタイミングに相当するポジションの検出が行われない可能性が高くなる。従って、従来の信号検出装置は、干渉信号の受信電力レベルが高くなれば、パケット信号の到来の検出能力が低下する。【０００９】
そこで、本発明は、従来の信号検出装置に比べ、パケット信号の到来の検出能力が高い信号検出装置及び信号検出方法を提供することを目的とする。
【課題を解決するための手段】
【００１０】
上記目的を達成するために本発明の信号検出装置は、送信側でパケット信号の先頭に複数付加される所定パターンの信号波形であるシンボルに基づいて受信信号からパケット信号の到来の検出を行う信号検出装置において、順次、受信信号と前記シンボルに基づく参照信号との相関値を求め、当該相関値を出力する相関手段と、前記相関手段の出力を一定時間毎に区切る区間分割手段と、前記区間分割手段により区切られた各々の区間において、区間に属する相関値の中から所定の条件を満たす相関値を検出し、検出した相関値の区間内における相対的なポジションを示すポジション情報を出力する区間ポジション検出手段と、前記区間ポジション検出手段から出力される各々の区間のポジション情報に基づいてパケット信号の到来の検出を行う同期判定手段と、を備える。【００１１】
本発明の信号検出方法は、送信側でパケット信号の先頭に複数付加される所定パターンの信号波形であるシンボルに基づいて受信信号からパケット信号の到来の検出を行う信号検出方法において、順次、受信信号と前記シンボルに基づく参照信号との相関値を求め、当該相関値を出力する相関ステップと、前記相関ステップにおける出力を一定時間毎に区切る区間分割ステップと、前記区間分割ステップで区切られた各々の区間において、区間に属する相関値の中から所定の条件を満たす相関値を検出し、検出した相関値の区間内における相対的なポジションを示すポジション情報を出力する区間ポジション検出ステップと、前記区間ポジション検出ステップにおいて出力される各々の区間のポジション情報に基づいてパケット信号の到来の検出を行う同期判定ステップと、を有する。
【発明の効果】
【００１２】
上記の信号検出装置及び信号検出方法の夫々は、区間単位で所定の条件を満たす相関値を検出している。このため、例えば、受信中のシンボルと参照信号との相関値が低くなった場合や干渉信号の受信電力レベルが大きくなった場合などでも、シンボルの到来タイミングに相当するポジションの相関値を検出できる。そして、上記の信号検出装置及び信号検出方法の夫々は、検出された相関値のポジションがシンボルの到来タイミングに相当するポジションを含んでいれば、パケット信号の到来を検出可能である。従って、上記の信号検出装置及び信号検出方法の夫々によれば、パケットの信号の検出能力の向上が図られる。【００１３】
上記の信号検出装置において、前記所定の条件を満たす相関値は区間における最大の相関値であってもよい。
各々の区間において受信信号と参照信号との相関値はシンボルの到来タイミングに相当するポジションで最大になる可能性が高い。
上記の信号検出装置によれば、シンボルの到来タイミングである可能性が低いポジションではパケット信号の到来の検出を行なっていないため、パケット信号の到来の誤検出を可能な限り防ぐことができる。【００１４】
上記の信号検出装置において、前記所定の条件を満たす相関値は区間における値の大きい方から所定番目までの相関値であってもよい。
例えば、受信信号が干渉信号の影響やノイズの影響を受けている場合、各々の区間において、受信信号と参照信号との相関値がシンボルの到来タイミングに相当するポジションで最大にならない可能性がある。【００１５】
上記の信号検出装置は、区間内における値の大きい方から所定番目までの相関値のポジションに基づいてパケット信号の到来の検出を行う。このため、上記の信号検出装置によれば、検出される相関値のポジションがシンボルの到来タイミングに相当するポジションを含む可能性がより高くなり、パケット信号の到来の検出能力の向上が図られる。
上記の信号検出装置において、前記所定の条件を満たす相関値は区間に設定される閾値より大きい相関値であり、各々の区間において、区間に属する相関値の平均値を求める区間平均値演算手段と、各々の区間において、前記区間平均値演算手段により求められる区間に属する相関値の平均値に基づいて当該区間の閾値を決定し、決定した閾値を前記区間ポジション検出手段に設定する区間閾値決定手段と、を更に備え、前記区間ポジション検出手段は、前記所定の条件を満たす相関値の検出を、相関値と当該相関値が属する区間に設定された閾値とを比較することにより行うようにしてもよい。【００１６】
例えば、受信信号が干渉信号の影響やノイズの影響を受けている場合、各々の区間において、受信信号と参照信号との相関値がシンボルの到来タイミングに相当するポジションで最大にならない可能性がある。
上記の信号検出装置は、区間内における閾値より大きい相関値のポジションに基づいてパケット信号の到来の検出を行う。このため、検出される相関値のポジションがシンボルの到来タイミングに相当するポジションを含む可能性がより高くなり、パケット信号の到来の検出能力の向上が図られる。【００１７】
上記の信号検出装置において、前記一定時間は、１シンボルの時間の長さの正の整数倍の時間であってもよい。
これによれば、例えば、検出されるポジションの時間間隔が１シンボルの時間の長さ（以下、シンボル時間と言う。）に一致するか否かの判断を容易に行えるようになる。
上記の信号検出装置において、前記同期判定手段は、前記ポジション情報が示すポジションが連続する所定の連続数以上の区間において同じである場合に前記パケット信号が到来したと判断するようにしてもよい。【００１８】
これによれば、パケット信号が到来しているか否かの判断処理が容易になる。
上記の信号検出装置において、相対的なポジションの各々について、所定の積算区間数の区間にわたって同じ相対的なポジションの相関値を積算する相関値積算手段と、前記相関値積算手段により積算される積算値の中から所定の判定ポジション条件を満たす積算値を検出し、検出した前記判定ポジション条件を満たす積算値のポジションを示す判定ポジション情報を出力する判定ポジション検出手段と、を更に備え、前記同期判定手段は、前記パケット信号の到来の検出を、前記判定ポジション検出手段から出力される判定ポジション情報が示すポジションにおいて行うようにしてもよい。【００１９】
上記の信号検出装置において、前記判定ポジション条件を満たす積算値は最大の積算値であるようにしてもよい。
各々の区間において、シンボルの到来タイミングにおける受信信号と参照信号との相関値は、他のタイミングの相関値より通常大きい。このため、シンボルの到来タイミングに相当するポジションの相関値を所定の積算区間数の区間にわたって積算した積算値は、シンボルの到来タイミング以外のタイミングに相当するポジションの相関値を所定の積算区間数の区間にわたって積算した積算値より大きい可能性が高い。【００２０】
上記の信号検出装置によれば、シンボルの到来タイミングである可能性が低いポジションではパケット信号の到来の検出を行なっていないため、パケット信号の到来の誤検出を可能な限り防ぐことができる。
上記信号検出装置において、前記同期判定手段は、前記積算区間数の区間において、前記ポジション情報が示すポジションと前記判定ポジション情報が示すポジションとが一致する区間が所定の一致区間数以上存在する場合に前記パケット信号が到来していると判断するようにしてもよい。【００２１】
これによれば、パケット信号が到来しているか否かの判断処理が容易になる。
上記信号検出装置において、前記参照信号を記憶する記憶手段と、受信したパケット信号に基づいて新たな参照信号を求め、前記記憶手段に記憶する参照信号を当該新たな参照信号に更新する参照信号演算手段と、を更に備え、前記相関手段は、前記相関値の算出を前記記憶手段に記憶されている参照信号を用いて行うようにしてもよい。【００２２】
受信信号に含まれるパケット信号の先頭に付加されたシンボルの信号波形は、マルチパスの影響やノイズの影響などにより、送信時のシンボルの信号波形と異なる。このため、受信中のシンボルと初期参照信号との相関値が小さくなってしまい、シンボルの到来タイミングに相当するポジションの相関値が所定の条件を満たさないことがある。ここで、初期参照信号とは、送信側でシンボルがパケット信号の先頭に付加された時点での当該シンボルの信号波形と同じ信号である。【００２３】
これに対して、上記の信号検出装置は、過去に受信したパケット信号に基づいて新たな参照信号を求め、相関値の算出に利用している。このため、相関値の算出に用いられる新たな参照信号の信号波形は、例えば、マルチパスの影響やノイズの影響を反映したものになり、初期参照信号の信号波形に比べ、受信中のシンボルの信号波形に類似している可能性が高い。【００２４】
従って、受信中のシンボルと新たな参照信号との相関値は、受信中のシンボルと初期参照信号との相関値に比べ、大きい可能性が高い。この結果、シンボルの到来タイミングに相当するポジションの相関値が所定の条件を満たす可能性が高く、パケット信号の到来の検出能力の向上が図られる。
上記の信号検出装置において、前記記憶手段に記憶する参照信号を前記所定パターンの信号波形と同じ信号波形の信号に所定のリセット条件に基づいて更新するリセット手段を更に備えるようにしてもよい。【００２５】
例えば、参照信号演算手段が誤って新たな参照信号を求めてしまった場合、参照信号演算手段によって求められた参照信号が伝送路変動などのため現在の伝送路特性を反映しなくなってしまう場合がある。この場合、参照信号演算手段により求められた参照信号の信号波形は、受信するシンボルの信号波形と類似しない。このため、受信しているシンボルと新たな参照信号との相関値は所定の条件を満たさない可能性が高く、パケット信号の到来の見落としやパケット信号の到来の誤検出が起こってしまう。【００２６】
上記の信号検出装置によれば、参照信号演算手段により求められた新たな参照信号を所定のリセット条件に基づき所定パターンの信号波形の信号に戻すので、上記の問題を回避できる。
上記の信号検出装置において、前記同期判定手段は、更に、前記区間ポジション検出手段から出力される各々の区間のポジション情報に基づいてシンボルタイミングの推定を行い、順次、受信信号と前記シンボルと同じ信号波形の信号との相関値を求め、当該相関値を出力する第１相関手段と、前記第１相関手段の出力を一定時間毎に区切る分割する第１区間分割手段と、前記第１区間分割手段により区切られた各々の区間において、区間に属する相関値の中から前記所定の条件を満たす相関値を検出し、検出した相関値の区間内における相対的なポジションを示すサブポジション情報を出力する第１区間ポジション検出手段と、前記第１区間ポジション検出手段から出力される各々の区間のサブポジション情報に基づいてパケット信号の到来の検出及びシンボルタイミングの推定を行う第１同期判定手段と、前記同期判定手段により推定されるシンボルタイミングと前記第１同期判定手段により推定されるシンボルタイミングとの合成を行う合成手段と、を更に備えるようにしてもよい。【００２７】
上記の信号検出装置によれば、２経路でパケット信号の到来の検出を行うため、一方の経路でパケット信号が到来したことを検出できなくても、他方の経路でパケット信号が到来したことを検出できることがあるので、パケット信号の到来の検出能力の向上が図られる。
上記信号検出装置において、前記参照信号の算出に用いる前記受信したパケット信号は、到来が検出されたパケット信号であってもよい。【００２８】
上記信号検出装置において、前記参照信号の算出に用いる前記受信したパケット信号は、到来が検出されたパケット信号であって、ヘッダ情報に誤りが検出されなかったパケット信号であってもよい。
上記信号検出装置において、前記参照信号の算出に用いる前記受信したパケット信号は、到来が検出されたパケット信号であって、パケット信号全体に誤りが検出されなかったパケット信号であってもよい。【００２９】
上記信号検出装置において、前記参照信号演算手段は、前記参照信号の算出を、最新に受信したパケット信号に基づいて行うようにしてもよい。
上記信号検出装置において、前記参照信号演算手段は、前記参照信号の算出を、最新に受信したパケット信号から所定のパケット数分のパケット信号に基づいて行うようにしてもよい。【００３０】
上記信号検出装置において、前記参照信号演算手段は、前記参照信号の算出を、受信したパケット信号の先頭に付加された複数のシンボルのうち最後尾のシンボルに基づいて行うようにしてもよい。
上記信号検出装置において、前記参照信号演算手段は、前記参照信号の算出を、受信したパケット信号の先頭に付加された複数のシンボルのうち、最後尾から所定のシンボル数分のシンボルに基づいて行うようにしてもよい。【００３１】
上記信号検出装置において、前記参照信号演算手段は、前記参照信号の算出を、受信したパケット信号の先頭に付加された複数のシンボルのうち、所定の電力範囲内にあるシンボル又は所定の振幅範囲内にあるシンボルに基づいて行うようにしてもよい。
これらの信号検出装置によれば、参照信号演算手段により求められる新たな参照信号が伝送路特性などを可能な限り反映したものなる。【００３２】
上記信号検出装置において、前記リセット条件はパケット信号の誤りが所定のパケット数のパケットで検出されることであってもよい。
上記信号検出装置において、前記リセット条件はパケット信号のヘッダ情報の誤りが所定のパケット数のパケットで検出されることであってもよい。
上記信号検出装置において、前記リセット条件は前記記憶手段に記憶されている前記参照信号が所定時間更新されないことであってもよい。【００３３】
上記信号検出装置において、前記リセット条件は、パケット信号が所定回数到来していると推定される場合に、前記同期判定手段がパケット信号の到来を検出できないことであり、受信信号の受信電力レベルを計測し、計測した受信電力レベルに基づいてパケット信号の到来を推定する推定手段を更に備え、前記リセット手段は、前記リセット条件に基づく前記記憶手段の記憶内容の更新を、前記推定手段によるパケット信号の到来の推定結果及び前記同期判定手段によるパケット信号の到来の検出結果に基づいて行うようにしてもよい。【００３４】
これらによれば、例えば、参照信号演算手段によって誤って参照信号が求められたと推測される場合や参照信号演算手段によって求められた新たな参照信号が伝送路特性などを反映しなくなったと推測される場合に参照信号を所定パターンの信号波形の信号に更新できる。
【図面の簡単な説明】
【００３５】
【図１】第１の実施の形態の無線通信システムのシステム構成図。
【図２】図１の無線通信システムで送受信されるパケット信号のフォーマットの一例を示す図。
【図３】図１の受信機の装置構成図。
【図４】図３の信号検出部の機能構成図。
【図５】図４の信号検出部の各部の動作を説明するための内部信号の一例を示す図。
【図６】図４の区間ポジション検出部の動作を説明するための図。
【図７】図３の復調部の機能構成図。
【図８】図４の信号検出部による信号検出処理の処理手順を示すフローチャート。
【図９】第２の実施の形態の信号検出部の機能構成図。
【図１０】図９の信号検出部の各部の動作を説明するための内部信号の一例を示す図。
【図１１】図９の区間ポジション検出部の動作を説明するための図。
【図１２】図９の信号検出部による信号検出処理の処理手順を示すフローチャート。
【図１３】第３の実施の形態の信号検出部の機能構成図。
【図１４】図１３の相関値積算部及び最大ポジション検出部の機能を説明するための図。
【図１５】図１３の信号検出部による信号検出処理の処理手順を示すフローチャート。
【図１６】第４の実施の形態の信号検出部の機能構成図。
【図１７】第５の実施の形態の信号検出部の機能構成図。
【図１８】図１７の信号検出部による信号検出処理の処理手順を示すフローチャート。
【図１９】第６の実施の形態の受信機の装置構成図。
【図２０】図１９の信号検出部の機能構成図。
【図２１】図１９の受信機による受信処理の処理手順を示すフローチャート。
【図２２】図２０の参照信号リセット部による参照信号リセット処理の処理手順を示すフローチャート。
【図２３】第７の実施の形態の信号検出部の機能構成図。
【図２４】第８の実施の形態の信号検出部の機能構成図。
【図２５】第９の実施の形態の信号検出部の機能構成図。
【図２６】第１０の実施の形態の信号検出部の機能構成図。
【符号の説明】
【００３６】
１  無線通信システム
２  送信機
３  受信機
１１  アンテナ
１２  高周波アナログ部
１３  信号検出部
１４  復調部
１５  誤り検出部
３１  参照信号記憶部
３２  相関部
３３  区間分割部
３４  区間ポジション検出部
３５  同期判定部
【発明を実施するための最良の形態】
【００３７】
≪第１の実施の形態≫
以下、本発明の第１の実施の形態について図面を参照しつつ説明する。
＜システム構成＞
本実施の形態における無線通信システムのシステム構成について図１を参照しつつ説明する。図１は本実施の形態の無線通信システムのシステム構成図である。なお、後述する他の実施の形態においても無線通信システムのシステム構成は図１に示すシステム構成と実質的に同じである。【００３８】
但し、本実施の形態及び後述する実施の形態では、無線ＬＡＮの規格がＩＥＥＥ８０２．１１ａであり、変復調方式がＩＥＥＥ８０２．１１ａで用いられるＯＦＤＭ方式であるとして説明する。
無線通信システム１には、送信機２及び受信機３が含まれており、送信機２と受信機３とは無線通信を行っている。【００３９】
送信機２によって無線送信されたパケット信号は、受信機３に、直接到来する（図１のパスＳ１）とともに、反射や回折などして到来する（図１のパスＳ２，Ｓ３）。
干渉局４によって無線送信されたパケット信号は、受信機３に到来する（図１のパスＳ４）。
このように、受信機３は、希望信号（送信機２によって無線送信されたパケット信号）を受信するとともに、干渉信号（干渉局４によって無線送信されたパケット信号）を受信する。【００４０】
＜パケット信号＞
図１の無線通信システム１で送受信されるパケット信号について図２を参照しつつ説明する。図２は無線通信システム１で送受信されるパケット信号のフォーマットの一例を示す図である。
パケット信号５は、同期用トレーニング信号６と伝送路推定用トレーニング信号７と複数のＯＦＤＭシンボル８，９とで構成される。【００４１】
同期用トレーニング信号６は、所定パターンの信号波形であるショートトレーニングシンボル６ａ，６ｂ，・・・，６ｊを複数回繰り返した繰り返し信号である。ＩＥＥＥ８０２．１１ａの規格では、ショートトレーニングシンボルの繰り返し回数は１０回である。
同期用トレーニング信号６は、パケット信号の到来の検出、受信機の自動利得調整（ＡＧＣ：Automatic Gain Control）、キャリア周波数誤差の粗調整、及びシンボルタイミングの推定などに利用される。【００４２】
なお、以下では、ショートトレーニングシンボルを、単に、シンボルと記載する。
伝送路推定用トレーニング信号７は、所定パターンの信号波形であるロングトレーニングシンボルなどで構成される。
伝送路推定用トレーニング信号７は、キャリア周波数誤差の微調整、及び伝送路推定などに利用される。【００４３】
ＯＦＤＭシンボル８，９には、伝送する情報データの他、パケット信号のパケット長、パケット信号の送信元の機器及び宛先の機器の夫々のアドレス、並びに、パケット信号を正しく復調できたかを確認するために利用される誤り検出符号などが格納される。
＜受信機の装置構成＞
図１の受信機３の装置構成について図３を参照しつつ説明する。図３は図１の受信機３の装置構成図である。【００４４】
受信機３は、アンテナ１１と高周波アナログ部１２と信号検出部１３と復調部１４と誤り検出部１５とを備える。アンテナ１１によって受信された高周波信号（以下、ＲＦ信号と言う。）Ｓ１１が高周波アナログ部１２に入力される。
高周波アナログ部１２は、アンテナ１１から入力されるＲＦ信号Ｓ１１をダウンコンバートし、この結果得られるベースバンド信号（以下、ＢＢ信号と言う。）Ｓ１２を信号検出部１３及び復調部１４の夫々へ出力する。【００４５】
信号検出部１３は、高周波アナログ部１２から入力されるＢＢ信号Ｓ１２と参照信号との相関値を順次求め、求めた相関値に基づいてパケット信号の到来の検出及びシンボルタイミングの推定などを行う。そして、信号検出部１３は、推定したシンボルタイミングを示すシンボルタイミング信号（以下、ＳＴ信号と言う。）Ｓ１３を復調部１４へ出力する。但し、参照信号は、送信側で所定パターンの信号波形であるシンボルがパケット信号の先頭に付加された時点の当該シンボルと同じ信号波形の既知の信号である。【００４６】
復調部１４は、信号検出部１３から入力されるＳＴ信号Ｓ１３が示すシンボルタイミングに従って、パケット信号中のＯＦＤＭシンボルを復調する。そして、復調部１４は、復調した復調データＳ１４を後段の処理回路（不図示）及び誤り検出部１５へ出力する。
誤り検出部１５は、復調データの誤り検出を行い、検出結果を示す誤り検出信号を後段の処理回路（不図示）へ出力する。【００４７】
＜信号検出部の機能構成＞
図３の信号検出部１３の機能構成について図４から図６を参照しつつ説明する。図４は図３の信号検出部１３の機能構成図である。図５は図４の信号検出部１３の各部の動作を説明するための内部信号の一例を示す図である。図６は図４の区間ポジション検出部３４の動作を説明するための図である。【００４８】
信号検出部１３は、参照信号記憶部３１と相関部３２と区間分割部３３と区間ポジション検出部３４と同期判定部３５とを備える。
参照信号記憶部３１は、予め参照信号を記憶しており、記憶している参照信号を相関部３２へ出力する。但し、参照信号記憶部３１が記憶する参照信号は、送信側でシンボルがパケット信号の先頭に付加された時点の当該シンボルと同じ信号波形の既知の信号である。【００４９】
相関部３２は、順次、高周波アナログ部１２から入力されるＢＢ信号Ｓ１２と参照信号記憶部３１から入力される参照信号との相関値を求め、求めた相関値を区間分割部３３へ出力する。
具体的には、参照信号記憶部３１と相関部３２とは、参照信号の複素共役をタップ係数とするＦＩＲ（Finite Impulse Response）フィルタにより構成される。フィルタにＢＢ信号Ｓ１２を通過させることによって、ＢＢ信号Ｓ１２と参照信号との相関値がフィルタから出力される。【００５０】
図５（ａ）は相関部３２に入力される入力信号の信号波形図の一例であり、入力信号は受信信号がダウンコンバートされて得られたＢＢ信号Ｓ１２である。図５（ａ）に一例を示す入力信号と参照信号との相関値が相関部３２によって順次求められ、図５（ｂ）に一例を示す相関値が相関部３２から出力される。なお、図５（ｂ）及び図５（ｃ）では、各ポジションの相関値の大きさを線の長さで示し、相関値が大きければ線が長く、相関値が小さければ線が短くなるように図示している。【００５１】
区間分割部３３は、相関部３２の出力を一定時間毎に区切る。一定時間は、シンボルのシンボル時間である。また、一定時間に出力される相関値の数は、例えば１６である。なお、相関部３２の出力を一定時間に区切るための初期タイミングについては特に考慮する必要はなく、初期タイミングは任意のタイミングでよい。
図５（ｂ）に一例を示す相関部３２の出力は、区間分割部３３によって図５（ｃ）に一例を示すようにシンボル時間毎に区切られる。但し、図５（ｃ）において点線で区切る各々の部分が、相関部３２の出力が区間分割部３３によってシンボル時間に区切られて得られる１つの区間に対応する。【００５２】
区間ポジション検出部３４は、区間分割部３３によってシンボル時間毎に区切られた各々の区間において、区間に属する相関値の中で最大の相関値を検出する。そして、区間ポジション検出部３４は、各々の区間において、検出した最大の相関値の区間内における相対的なポジションを示す第１ポジション情報を同期判定部３５へ出力する。
但し、区間内の各々のポジションにシーケンシャルな番号を付与し、相関値の区間内における相対的なポジションを示す情報として、ポジションに付与した番号を用いる。各々の区間において、区間の最も古くに求められる相関値のポジションから最も新しく求められる相関値のポジションに向かって、例えば、“１”、“２”、“３”、・・・、“１５”、“１６”とポジションに番号を付与する。【００５３】
図５（ｃ）に一例を示すように相関部３２の出力が区切られた場合、区間ポジション検出部３４は、各々の区間において、区間内における相関値が最大である図５（ｄ）に実線及び点線の何れかの線を図示したポジションを示す第１ポジション情報を同期判定部３５へ出力する。
さらに、図６を参照して区間ポジション検出部３４の処理内容を説明する。但し、図６では、説明を簡単にするために、一つの区間に属する相関値の数を５つにしている。なお、図６（ａ）では、各ポジションの相関値の大きさを線の長さで示し、相関値が大きければ線が長く、相関値が小さければ線が短くなるように図示している。【００５４】
図６（ａ）に一例を示すように、相関部３２の出力が区間分割部３３によってシンボル時間毎に区切られた場合、各々の区間に関して、図６（ｂ）において線を図示したポジションを示す第１ポジション情報が、区間ポジション検出部３４から同期判定部３５へ出力される。
例えば、区間Ｒ５では、ポジション“４”の相関値が最も大きいので、ポジション“４”を示す第１ポジション情報が区間ポジション検出部３４から同期判定部３５へ出力される。【００５５】
同期判定部３５は、区間ポジション検出部３４から入力される各々の区間の第１ポジション情報に基づいて、パケット信号の到来の検出を行う。
同期判定部３５は、第１ポジション情報が示すポジションが連続する所定の連続区間数（本実施の形態では、４）以上の区間において同じである場合に、パケット信号が到来したと判断する。そして、同期判定部３５は、パケット信号が到来していると判断した場合、第１ポジション情報に基づいてシンボルタイミングの推定を行い、推定したシンボルタイミングを示すＳＴ信号Ｓ１３を復調部１４へ出力する。【００５６】
なお、所定の連続区間数が大きい場合にはパケット信号の到来の見落としの可能性が高くなり、所定の連続区間数が小さい場合にはパケット信号の誤検出の可能性が高くなる。これを踏まえ、シンボルの繰り返し回数を考慮して、所定の連続区間数を決めればよい。
＜復調部の機能構成＞
図３の復調部１４の機能構成について図７を参照しつつ説明する。図７は図３の復調部１４の機能構成図である。【００５７】
復調部１４は、ＦＦＴ部４１と伝送路推定部４２と伝送路歪み補償部４３とデマッピング部４４とを備える。信号検出部１３から出力されるＳＴ信号Ｓ１３は、ＦＦＴ部４１、伝送路推定部４２、伝送路歪み補償部４３及びデマッピング部４４の夫々に入力される。
ＦＦＴ部４１は、時間領域のパケット信号中のＯＦＤＭシンボルにＦＦＴ（Fast Fourier Transform）処理を施し、周波数領域の信号に変換する。但し、パケット信号５の伝送路推定用トレーニング信号６は複数のＯＦＤＭシンボルで構成されることから、伝送路推定用トレーニング信号６もＦＦＴ部４１の処理対象である。【００５８】
伝送路推定部４２は、ＦＦＴ部４１によって周波数領域の信号に変換された伝送路推定用トレーニング信号６に基づいて伝送路推定を行う。
伝送路歪み補償部４３は、伝送路推定部４２による伝送路推定結果に基づいて、ＦＦＴ部４１によって周波数領域の信号に変換されたＯＦＤＭシンボル８，９の伝送路での歪みを補償する。【００５９】
デマッピング部４４は、伝送路歪み補償部４３による伝送路歪み補償後の周波数領域の信号中の各々のサブキャリア信号に対してデマッピング処理を施し、復調データＳ１４を後段の処理回路（不図示）及び誤り検出部１５の夫々へ出力する。
＜信号検出部の信号検出動作＞
図４の信号検出部１３による信号検出処理について図８を参照しつつ説明する。図８は図４の信号検出部１３による信号検出処理の処理手順を示すフローチャートである。【００６０】
同期判定部３５は、変数ｎの値を“０”にセットする（ステップＳ１０１）。
相関部３２は、高周波アナログ部１２から入力されるＢＢ信号Ｓ１２と参照信号記憶部３１に記憶されている参照信号との相関値を求め、区間分割部３３へ求めた相関値を出力する（ステップＳ１０２）。
区間分割部３３は、相関部３２の出力をシンボル時間に区切る（ステップＳ１０３）。【００６１】
区間ポジション検出部３４は、区間分割部３３により相関部３２の出力がシンボル時間に区切られると、区切られた区間に属する相関値の中から最大の相関値を検出する。そして、区間ポジション検出部３４は、検出した最大の相関値の区間内における相対的なポジションを示す第１ポジション情報を同期判定部３５へ出力する（ステップＳ１０４）。
同期判定部３５は、最新の区間に関する第１ポジション情報が示すポジションと直前の区間に関する第１ポジション情報が示すポジションとが同じであるかを判定する（ステップＳ１０５）。【００６２】
両者の区間の第１ポジション情報が示すポジションが同じであれば（ステップＳ１０５：ＹＥＳ）、同期判定部３５は変数ｎの値を１増加させ（ステップＳ１０６）、ステップＳ１０２以降の処理が行われる。
両者の区間の第１ポジション情報が示すポジションが異なれば（ステップＳ１０５：ＮＯ）、同期判定部３５は変数ｎの値が連続区間数“４”以上であるかを判定する（ステップＳ１０７）。【００６３】
変数ｎの値が連続区間数“４”未満であれば（ステップＳ１０７：ＮＯ）、同期判定部３５は変数ｎに０をセットし（ステップＳ１０８）、ステップＳ１０２以降の処理が行われる。
変数ｎの値が連続区間数“４”以上であれば（ステップＳ１０７：ＹＥＳ）、同期判定部３５はパケット信号が到来していると判断する。つまり、同期判定部３５はパケット信号の到来を検出する（ステップＳ１０９）。【００６４】
≪第２の実施の形態≫
以下、本発明の第２の実施の形態について図面を参照しつつ説明する。
第１の実施の形態は、パケット信号の到来の検出に、区間分割部３３により時間分割された区間内の最大の相関値のポジションを利用する。
これに対して、本実施の形態は、パケット信号の到来の検出に、区間分割部３３により時間分割された区間内の閾値より大きい相関値のポジションを利用する。【００６５】
＜信号検出部の機能構成＞
本実施の形態の信号検出部１３ａの機能構成について図９から図１１を参照しつつ説明する。図９は本実施の形態の信号検出部１３ａの機能構成図である。図１０は図９の信号検出部１３ａの各部の動作を説明するための内部信号の一例を示す図である。図１１は図９の区間ポジション検出部の動作を説明するための図である。【００６６】
但し、本実施の形態において、第１の実施の形態と同じ機能を有する構成要素には同じ符号を付し、第１の実施の形態の説明が適用できるために、本実施の形態ではその説明を省略する。
信号検出部１３ａは、参照信号記憶部３１と相関部３２と区間分割部３３と区間平均値演算部５１と区間閾値演算部５２と区間ポジション検出部３４ａと同期判定部３５ａとを備える。なお、相関部３２の入力信号の一例、相関部３２から出力される相関値の一例、及び区間分割部３３の区間分割の一例を、図１０（ａ）、図１０（ｂ）、図１０（ｃ）に示す。なお、図１０（ｂ）及び図１０（ｃ）では、各ポジションの相関値の大きさを線の長さで示し、相関値が大きければ線が長く、相関値が小さければ線が短くなるように図示している。【００６７】
区間平均値演算部５１は、区間分割部３３により区切られた各々の区間において、区間に属する相関値の平均値を算出する。
区間閾値演算部５２は、区間分割部３３により区切られた各々の区間において、区間平均値演算部５１により算出された区間の平均値に対して固定の係数を乗算して閾値を算出する。そして、区間閾値演算部５２は、各々の区間に関して算出した閾値を区間ポジション検出部３４ａに設定する。区間閾値演算部５２により算出された各々の閾値は、例えば、図１０（ｃ）の一点鎖線に示すようになる。なお、固定の係数は、例えば実機検証によって定めることができる。【００６８】
区間ポジション検出部３４ａは、区間分割部３３によってシンボル時間毎に区切られた各々の区間において、区間に属する相関値の各々と当該区間の閾値とを比較し、閾値を超える相関値を検出する。そして、区間ポジション検出部３４ａは、各々の区間において、検出した閾値を超える各々の相関値の区間内における相対的なポジションを示す第２ポジション情報を同期判定部３５ａへ出力する。【００６９】
図１０（ｃ）に一例を示すように相関部３２の出力が区切られ、閾値が設定された場合、区間ポジション検出部３４ａは、各々の区間において、区間内における相関値が閾値を越える図１０（ｄ）に線を図示したポジションを示す第２ポジション情報を同期判定部３５ａへ出力する。
さらに、図１１を参照して区間ポジション検出部３４ａの処理内容を説明する。但し、図１１では、説明を簡単にするために、一つの区間に属する相関値の数を５つにしている。なお、図１１（ａ）では、各ポジションの相関値の大きさを線の長さで示し、相関値が大きければ線が長く、相関値が小さければ線が短くなるように図示している。【００７０】
図１１（ａ）に一例を示すように、相関部３２の出力が区間分割部３３によってシンボル時間毎に区切られ、区間閾値演算部５２によって閾値が設定された場合、各々の区間に関して、図１１（ｂ）において線を図示したポジションを示す第２ポジション情報が、区間ポジション検出部３４ａから同期判定部３５ａへ出力される。
例えば、区間Ｒ５では、ポジション“２”、“４”の相関値が閾値を超えているので、ポジション“２”、“４”を示す第２ポジション情報が区間ポジション検出部３４ａから同期判定部３５ａへ出力される。【００７１】
図１１（ｂ）において、仮にポジション“４”がシンボルの到来タイミングに相当するポジションであるとすると、区間Ｒ６ではポジション“１”の相関値がポジション“４”の相関値より大きい。しかしながら、区間ポジション検出部３４ａが同期判定部３５ａへ出力する第２ポジション情報は、ポジション“１”とともにポジション“４”を示す。これにより、同期判定部３５ａは、シンボルの到来タイミングに相当する区間Ｒ６のポジション“４”をパケット信号の到来の検出に用いることができる。【００７２】
同期判定部３５ａは、区間ポジション検出部３４ａから入力される各々の区間の第１ポジション情報に基づいて、パケット信号の到来の検出を行う。
同期判定部３５ａは、第２ポジション情報が示す何れかのポジションが連続する所定の連続区間数（本実施の形態では、４）以上の区間において同じである場合に、パケット信号が到来していると判断する。同期判定部３５ａは、パケット信号が到来していると判断した場合、第２ポジション情報に基づいてシンボルタイミングの推定を行い、推定したシンボルタイミングを示すＳＴ信号Ｓ１３を復調部１４へ出力する。【００７３】
＜信号検出部の信号検出動作＞
図９の信号検出部１３ａによる信号検出処理について図１２を参照しつつ説明する。図１２は図９の信号検出部１３ａによる信号検出処理の処理手順を示すフローチャートである。
同期判定部３５ａは、全ての変数ｎｉ（ｉ＝１，２，・・・）に０をセットする（ステップＳ１５１）。但し、変数ｎｉはポジション毎に用意される。【００７４】
相関部３２は、高周波アナログ部１２から入力されるＢＢ信号Ｓ１２と参照信号記憶部３１に記憶されている参照信号との相関値を求め、区間分割部３３へ求めた相関値を出力する（ステップＳ１５２）。
区間分割部３３は、相関値３２の出力をシンボル時間に区切る（ステップＳ１５３）。
区間平均値演算部５１は、区間分割部３３により相関部３２の出力がシンボル時間に区切られると、区間に属する相関値の平均値を算出する（ステップＳ１５４）。そして、区間閾値演算部５２は算出された区間の平均値に固定の係数を乗算して閾値を算出し、算出した閾値を区間ポジション検出部３４ａに設定する（ステップＳ１５５）。【００７５】
区間ポジション検出部３４ａは、区間に属する各々の相関値と設定された閾値とを比較し、閾値を超える相関値を検出する。そして、区間ポジション検出部３４ａは、検出した閾値を超える各々の相関値の区間内における相対的なポジションを示す第２ポジション情報を同期判定部３５ａへ出力する（ステップＳ１５６）。
同期判定部３５ａは、最新の区間に関する第２ポジション情報が示すポジションの何れかが、直前の区間に関する第２ポジション情報が示すポジションの何れかと一致するかを判定する（ステップＳ１５７）。【００７６】
一致するものがあれば（ステップＳ１５７：ＹＥＳ）、同期判定部３５ａは最新の区間に関する第２ポジション情報が示すポジション（相関値が閾値を超えるポジション）の夫々に対応する変数ｎｉの値を１増加させる。さらに、同期判定部３５ａはそれ以外の変数ｎｉの値を０にリセットする（ステップＳ１５８）。そして、ステップＳ１５２以降の処理が行われる。【００７７】
一致するものがなければ（ステップＳ１５７：ＮＯ）、同期判定部３５ａは連続区間数“４”以上の値の変数ｎｉがあるかを判定する（ステップＳ１５９）。
連続区間数“４”以上の値の変数ｎｉがなければ（ステップＳ１５９：ＮＯ）、同期判定部３５ａは全ての変数ｎｉ（ｉ＝１，２，・・・）に０をセットし（ステップＳ１６０）、ステップＳ１５２以降の処理が行われる。【００７８】
連続区間数“４”以上の値の変数ｎｉがあれば（ステップＳ１５９：ＹＥＳ）、同期判定部３５ａはパケット信号が到来していると判断する。つまり、同期判定部３５ａはパケット信号の到来を検出する（ステップＳ１６１）。
≪第３の実施の形態≫
以下、本発明の第３の実施の形態について図面を参照しつつ説明する。【００７９】
第１の実施の形態は、区間内における最大の相関値が連続する所定の連続区間数の区間でポジションが同じ場合にパケット信号が到来していると判断する。
これに対して、本実施の形態は、連続する所定の積算区間数の区間の同じポジションの相関値を積算する。そして、積算区間数の区間において、区間内における最大の相関値のポジションが最大の積算値のポジションと一致する区間が所定の閾値区間数以上存在する場合に、パケット信号が到来していると判断する。【００８０】
＜信号検出部の機能構成＞
本実施の形態の信号検出部１３ｂの機能構成について図１３を参照しつつ説明する。図１３は本実施の形態の信号検出部１３ｂの機能構成図である。但し、本実施の形態において、上記の実施の形態と同じ機能を有する構成要素には同じ符号を付し、上記の実施の形態の説明が適用できるため、本実施の形態ではその説明を省略する。【００８１】
信号検出部１３ｂは、参照信号記憶部３１と相関部３２と区間分割部３３と区間ポジション検出部３４と相関値積算部５６と最大ポジション検出部５７と同期判定部３５ｂとを備える。
相関値積算部５６は、相対的なポジションの各々について、連続する所定の積算区間数分の区間にわって相関値を積算し、各々のポジションの積算値を最大ポジション検出部５７へ出力する。本実施の形態では、積算区間数を、ＩＥＥＥ８０２．１１ａの規格で定められたシンボルの繰り返し回数と同じ１０とする。【００８２】
最大ポジション検出部５７は、相関値積算部５６から入力される積算値の中から最大の積算値を検出し、検出した最大の積算値の相対的なポジションを示す最大ポジション情報を同期判定部３５ｂへ出力する。
さらに、相関値積算部５６及び最大ポジション検出部５７の機能について図１４を用いて説明する。図１４は図１３の相関値積算部５６及び最大ポジション検出部５７の機能を説明するための図である。但し、説明を簡単にするため、区間のポジションの数を５、相関値を積算する区間の数を３にしている。【００８３】
なお、図１４（ａ）では、各ポジションの相関値の大きさを線の長さで示し、相関値が大きければ線が長く、相関値が小さければ線が短くなるように図示している。図１４（ｂ）では、各ポジションの積算値の大きさを線の長さで示し、積算値が大きければ線が長く、積算値が小さければ線が短くなるように図示している。
以下の記述では、区間Ｒｉ（ｉ＝１，２，３）のポジションｊ（ｊ＝１，２，３，４，５）の相関値をＶｉｊで表す。【００８４】
相関値積算部５６は、区間Ｒ１のポジション“１”の相関値Ｖ１１と、区間Ｒ２のポジション“１”の相関値Ｖ２１と区間Ｒ３のポジション“１”の相関値Ｖ３１とを加算する。このようにして、相関値積算部５６は、ポジション“１”の積算値ＶＴ１（＝Ｖ１１＋Ｖ２１＋Ｖ３１）を算出する。
さらに、相関値積算部５６は、同様の処理を行って、他のポジションｊ（ｊ＝２，３，４，５）の相関値ＶＴｊ（ｊ＝２，３，４，５）を算出する。【００８５】
区間Ｒ１，Ｒ２，Ｒ３の各々のポジションの相関値が図１４（ａ）に示す場合、各々のポジションの相関値の積算値は図１４（ｂ）に示すようになる。
最大ポジション検出部５７は、図１４（ｂ）の場合、ポジション“４”の積算値が最大であるので、ポジション“４”を示す最大ポジション情報を同期判定部３５ｂへ出力する。【００８６】
同期判定部３５ｂは、区間ポジション検出部３４から入力される各々の区間の第１ポジション情報と最大ポジション検出部５７から入力される最大ポジション情報とに基づいて、パケット信号の到来の検出を行う。
同期判定部３５ｂは、区間ポジション検出部３４から入力される第１ポジション情報が示すポジションと最大ポジション検出部５７から入力される最大ポジション情報が示すポジションとを比較する。同期判定部３５ｂは、比較の結果、連続する積算区間数“１０”の区間において、両者のポジションが一致する区間が所定の閾値区間数（本実施の形態では、７）以上存在する場合にパケット信号が到来したと判断する。そして、同期判定部３５ｂは、パケット信号が到来していると判断した場合、第１ポジション情報に基づいてシンボルタイミングの推定を行い、推定したシンボルタイミングを示すＳＴ信号Ｓ１３を復調部１４へ出力する。【００８７】
＜信号検出部の信号検出動作＞
図１３の信号検出部１３ｂによる信号検出処理について図１５を参照しつつ説明する。図１５は図１３の信号検出部１３ｂによる信号検出処理の処理手順を示すフローチャートである。
信号検出部１３ｂは、図８のステップＳ１０２からステップＳ１０４と実質的に同じ処理を行う（ステップＳ２０１からステップＳ２０３）。【００８８】
相関値積算部５６は、ポジション毎に、連続する積算区間数“１０”の区間にわたって同じポジションの相関値を積算し、積算結果を最大ポジション検出部５７へ出力する（ステップＳ２０４）。続いて、最大ポジション検出部５７は、相関値積算部５６によって求められた積算値の中から最大の積算値を検出し、検出した最大のポジションを示す最大ポジション情報を同期判定部３５ｂへ出力する（ステップＳ２０５）。【００８９】
同期判定部３５ｂは、各々の区間において、区間ポジション検出部３４から入力される第１ポジション情報が示すポジションと最大ポジション検出部５７から入力される最大ポジション情報が示すポジションとを比較する。同期判定部３５ｂは、比較の結果、連続する積算区間数“１０”の区間において、両者のポジションが一致する区間が所定の閾値区間数“７”以上存在するかを判定する（ステップＳ２０６）。【００９０】
両者のポジションが一致する区間が閾値区間数“７”以上存在しなければ（ステップＳ２０６：ＮＯ）、ステップＳ２０１以降の処理が行われる。
両者のポジションが一致する区間が閾値区間数“７”以上存在すれば（ステップＳ２０６：ＹＥＳ）、同期判定部３５ｂはパケット信号が到来していると判断する。つまり、同期判定部３５ｂはパケット信号の到来を検出する（ステップＳ２０７）。【００９１】
≪第４の実施の形態≫
以下、本発明の第４の実施の形態について図面を参照しつつ説明する。
第２の実施の形態は、区間内における閾値を越える相関値が連続する所定の連続区間数の区間で同じポジションにある場合にパケット信号が到来していると判断する。
これに対して、本実施の形態は、連続する所定の積算区間数の区間の同じポジションの相関値を積算する。そして、積算区間数の区間において、区間内における閾値を越える相関値のポジションの何れかが最大の積算値のポジションと一致する区間が所定の閾値区間数以上存在する場合に、パケット信号が到来していると判断する。【００９２】
＜信号検出部の機能構成＞
本実施の形態の信号検出部１３ｃの機能構成について図１６を参照しつつ説明する。図１６は本実施の形態の信号検出部１３ｃの機能構成図である。但し、本実施の形態において、上記の実施の形態と同じ機能を有する構成要素には同じ符号を付し、上記の実施の形態の説明が適用できるため、本実施の形態ではその説明を省略する。【００９３】
信号検出部１３ｃは、参照信号記憶部３１と相関部３２と区間分割部３３と区間平均値演算部５１と区間閾値演算部５２と区間ポジション検出部３４ａと相関値積算部５６と最大ポジション検出部５７と同期判定部３５ｃとを備える。
同期判定部３５ｃには、第２の実施の形態と実質的に同じ処理が信号検出部１３ｃに入力されるＢＢ信号Ｓ１２に対して行われて、区間ポジション検出部３４ａから各々の区間の第２ポジション情報が入力される。【００９４】
また、同期判定部３５ｃには、第３の実施の形態と実質的に同じ処理が信号検出部１３ｃに入力されるＢＢ信号Ｓ１２に対して行われて、最大ポジション検出部５７から最大ポジション情報が入力される。
同期判定部３５ｃは、区間ポジション検出部３４ａから入力される各々の区間の第２ポジション情報と最大ポジション検出部５７から入力される最大ポジション情報とに基づいて、パケット信号の到来の検出を行う。【００９５】
同期判定部３５ｃは、区間ポジション検出部３４ａから入力される第２ポジション情報が示す各々のポジションと最大ポジション検出部５７から入力される最大ポジション情報が示すポジションとを比較する。同期判定部３５ｃは、比較の結果、連続する積算区間数（本実施の形態では、１０）の区間において、第２ポジション情報が示すポジションの何れかが最大ポジション情報が示すポジションと一致する区間が所定の閾値区間数（本実施の形態では、７）以上存在する場合にパケット信号が到来したと判断する。そして、同期判定部３５ｃは、パケット信号が到来していると判断した場合、第２ポジション情報に基づいてシンボルタイミングの推定を行い、推定したシンボルタイミングを示すＳＴ信号Ｓ１３を復調部１４へ出力する。【００９６】
≪第５の実施の形態≫
以下、本発明の第５の実施の形態について図面を参照しつつ説明する。
但し、本実施の形態は、相関値の算出に用いる参照信号を、受信したパケット信号の同期用トレーニングシンボルを利用して更新する機能を備える。
なお、第５の実施の形態、及び、後述する実施の形態では、参照信号が送信側でシンボルがパケットの先頭に付加された時点の当該シンボルの信号波形と同じ既知の信号である場合、適宜、参照信号を初期参照信号と言う。【００９７】
＜信号検出部の機能構成＞
本実施の形態の信号検出部１３ｄの機能構成について図１７を参照しつつ説明する。図１７は本実施の形態の信号検出部１３ｄの機能構成図である。但し、本実施の形態において、上記の実施の形態と同じ機能を有する構成要素には同じ符号を付し、上記の実施の形態の説明が適用できるため、本実施の形態ではその説明を省略する。【００９８】
信号検出部１３ｄは、参照信号記憶部３１と相関部３２とポジション検出部３４ｄと同期判定部３５ｄと参照信号演算部６１とを備える。なお、例えば、電源投入時に参照信号記憶部３１に記憶される参照信号は初期参照信号である。
ポジション検出部３４ｄは、相関部３２から入力される各々の相関値を所定の閾値と比較する。そして、比較の結果、ポジション検出部３４ｄは、所定の閾値より大きい相関値を検出し、検出した相関値の時間軸上の相対的なポジションを示す第３ポジション情報を同期判定部３５ｄへ出力する。【００９９】
同期判定部３５ｄは、ポジション検出部３４ｄから入力される第３ポジション情報に基づいて、閾値を超える隣り合う相関値のポジションの間隔が所定の閾値間隔数（本実施の形態では、３）連続してシンボルのシンボル時間と同じ場合に、パケット信号が到来していると判断する。そして、同期判定部３５ｄは、第３ポジション情報に基づいてシンボルタイミングの推定を行い、推定したシンボルタイミングを示すＳＴ信号Ｓ１３を復調部１４及び参照信号演算部６１の夫々へ出力する。【０１００】
参照信号演算部６１は、ＳＴ信号Ｓ１３の入力を受けて、高周波アナログ部１２から入力されるＢＢ信号Ｓ１２に含まれる同期用トレーニング信号に基づいて新たな参照信号を求める。そして、参照信号演算部６１は、参照信号記憶部３１に記憶されている参照信号を新たな参照信号に更新する。
なお、閾値を超える相関値の検出を参照信号演算部６１が新たな参照信号を求める契機の発生とする場合、相関値が閾値を１回でも超えれば新たな参照信号を求める契機が発生することになる。このため、新たな参照信号を求める契機の発生が干渉信号の影響やノイズの影響などを受けやすくなり、新たな参照信号が同期用トレーニング信号以外の部分で誤って求められる可能性が高い。【０１０１】
これに対して、ＳＴ信号Ｓ１３の入力、つまり、パケット信号が到来したと判断されたことを、参照信号演算部６１が新たな参照信号を求める契機の発生とする場合、相関値がシンボル時間毎に複数回閾値を越えなければ新たな参照信号が求める契機が発生しない。このため、新たな参照信号を求める契機の発生が干渉信号の影響やノイズの影響などを受けにくく、新たな参照信号が同期用トレーニング信号以外の部分で誤って求められる可能性が低い。【０１０２】
参照信号演算部６１は、最新に受信したパケット信号の同期用トレーニング信号の最後尾のシンボルを新たな参照信号とする。ここで、本実施の形態における受信したパケット信号とは、同期判定部３５ｄによってパケット信号の到来が検出されたパケット信号である。
なお、パケット信号の先頭から数個のシンボルの期間はＡＧＣの引き込みのために信号が歪んでいる可能性が高い。これに対して、ＡＧＣ収束後の最後尾のシンボルはＡＧＣの引き込みによる歪みが無く、より伝送路特性などを反映した信号になっている。【０１０３】
また、参照信号演算部６１がＳＴ信号Ｓ１３の入力を受けてＢＢ信号Ｓ１２から同期用トレーニング信号の最後尾のシンボルを抽出できるようにするために、簡単なタイミング制御回路（不図示）を設ければよい。このため、乗算器を必要とせず、回路規模の増大を抑制することが可能になる。
＜信号検出部の信号検出動作＞
図１７の信号検出部１３ｄによる信号検出処理について図１８を参照しつつ説明する。図１８は図１７の信号検出部１３ｄによる信号検出処理の処理手順を示すフローチャートである。【０１０４】
相関部３２は、高周波アナログ部１２から入力されるＢＢ信号Ｓ１２と参照信号記憶部３１に記憶されている参照信号との相関値を求める（ステップＳ２５１）。
ポジション検出部３４ｄは、相関部３２から出力される相関値の中から、所定の閾値を超える相関値を検出し、検出した相関値の時間軸上のポジションを示す第３ポジション情報を同期判定部３５ｄへ出力する（ステップＳ２５２）。【０１０５】
同期判定部３５ｄは、ポジション検出部３４ｄから入力される第３ポジション情報に基づいてパケット信号の到来の検出を行う（ステップＳ２５３）。
パケット信号が到来していることを検出できなかった場合（ステップＳ２５３：ＮＯ）、ステップＳ２５１の処理に戻る。
パケット信号が到来していることを検出できた場合（ステップＳ２５３：ＹＥＳ）、参照信号演算部６１は、受信したパケット信号の同期用トレーニング信号を利用して新たな参照信号を求め、参照信号記憶部３１の記憶内容を求めた新たな参照信号に更新する（ステップＳ２５４）。この処理により、次のパケット信号の到来の検出には、受信したパケット信号の同期用トレーニング信号を基に求められた新たな参照信号が用いられることになる。【０１０６】
≪第６の実施の形態≫
以下、本発明の第６の実施の形態について図面を参照しつつ説明する。
但し、本実施の形態は、相関値の算出に用いる参照信号を、受信したパケット信号の同期用トレーニングシンボルを利用して更新するとともに、所定のリセット条件に基づいて初期参照信号に戻す機能を備える。【０１０７】
＜受信機の装置構成＞
本実施の形態の受信機３ｅの装置構成について図１９を参照しつつ説明する。図１９は本実施の形態の受信機３ｅの装置構成図である。但し、本実施の形態において、上記の実施の形態と同じ機能を有する構成要素には同じ符号を付し、上記の実施の形態の説明が適用できるため、本実施の形態ではその説明を省略する。【０１０８】
受信機３ｅは、アンテナ１１と高周波アナログ部１２と信号検出部１３ｅ（詳細は図２０を用いて後述）と復調部１４と誤り検出部１５ｅとを備える。
誤り検出部１５ｅは、復調データの誤り検出を行い、検出結果を示す誤り検出信号Ｓ１５を後段の処理回路（不図示）へ出力するとともに、信号検出部１３ｅへ出力する。
＜信号検出部の機能構成＞
本実施の形態の信号検出部１３ｅの機能構成について図２０を参照しつつ説明する。図２０は信号検出部１３ｅの機能構成図である。但し、本実施の形態において、上記の実施の形態と同じ機能を有する構成要素には同じ符号を付し、上記の実施の形態の説明が適用できるため、本実施の形態ではその説明を省略する。【０１０９】
信号検出部１３ｅは、参照信号記憶部３１と相関部３２とポジション検出部３４ｄと同期判定部３５ｄと参照信号演算部６１ｅと参照信号リセット部６６とを備える。なお、例えば、電源投入時に参照信号記憶部３１に記憶される参照信号は、初期参照信号である。
参照信号演算部６１ｅは、ＳＴ信号Ｓ１３の入力を受け、さらに、パケット信号全体に誤りがなかったことを示す誤り検出信号Ｓ１５の入力を受け、入力されるＢＢ信号Ｓ１２中のパケット信号に含まれる同期用トレーニング信号に基づいて新たな参照信号を求める。つまり、参照信号演算部６１ｅは、同期判定部３５ｄによって到来が検出されたパケット信号であって、誤り検出部１５ｅによって全体に誤りが検出されなかったパケット信号に基づいて、それに含まれる同期用トレーニング信号から新たな参照信号を求める。参照信号演算部６１ｅは、参照信号記憶部６１ｅの記憶内容を求めた新たな参照信号に更新する。【０１１０】
なお、到来が検出されたパケット信号であって、全体に誤りが検出されなかったパケット信号を新たな参照信号の算出に用いることにより、到来が検出されたパケット信号を新たな参照信号の算出に用いる場合に比べ、同期用トレーニング信号以外の部分で新たな参照信号が算出される可能性が低くなる。
参照信号演算部６１ｅの処理の一具体的例を示す。【０１１１】
参照信号演算部６１ｅは、ＳＴ信号Ｓ１３の入力を受け、ＢＢ信号Ｓ１２の同期用トレーニング信号を一時的に保存する。
参照信号演算部６１ｅは、誤り検出部１５ｅからパケット信号全体に誤りがなかったことを示す誤り検出信号Ｓ１５の入力を受けて、一時的に保存しておいた同期用トレーニング信号を用いて新たな参照信号を求める。参照信号演算部６１ｅは、参照信号記憶部３１の記憶内容を求めた新たな参照信号に更新する。なお、参照信号保持部６１ｅは、誤り検出部１５ｅからパケット信号に誤りがあったことを示す誤り検出信号Ｓ１５の入力を受けて、一時的に保存しておいた同期用トレーニング信号を破棄する。【０１１２】
参照信号リセット部６６は、参照信号記憶部３１に記憶されている参照信号を所定のリセット条件に基づいて初期参照信号に更新する。
リセット条件は、参照信号リセット部６６に入力される誤り検出信号Ｓ１５が所定の誤り回数（本実施の形態では、３回）連続してパケット信号に誤りがあったことを示すことである。【０１１３】
なお、例えば、参照信号演算部６１ｅによって同期用トレーニング信号以外の受信信号の部分に基づいて参照信号が更新された場合、伝送路状態が急激に変化して参照信号演算部６１ｅによって求められた新たな参照信号が現在の伝送路特性を反映しなくなる場合がある。このような場合に、参照信号演算部６１ｅによって求められた新たな参照信号をパケット信号の到来の検出に継続して用いれば、パケット信号の到来の検出能力が低下する。しかしながら、リセット条件に基づいて参照信号記憶部３１に記憶されている参照信号を初期参照信号に更新することによって、パケット信号の到来の検出能力が低下する状況が継続することを回避できる。【０１１４】
＜受信機の受信処理動作＞
図１９の受信機３ｅによる受信処理について図２１を参照しつつ説明する。図２１は図１９の受信機３ｅによる受信処理の処理手順を示すフローチャートである。
受信機３ｅの信号検出部１３ｅは、図１８のステップＳ２５１からステップＳ２５３と実質的に同じ処理を行う（ステップＳ３０１からステップＳ３０３）。【０１１５】
パケット信号の到来を検出できた場合（ステップＳ３０３：ＹＥＳ）、参照信号演算部６１ｅは、同期用トレーニング信号を一時保存する（ステップＳ３０４）。
復調部１４はパケット信号の復調を行い（ステップＳ３０５）、誤り検出部１５ｅは復調されたパケット信号の誤りの検出を行う（ステップＳ３０６）。
復調されたパケット信号の誤りが検出されなければ（ステップＳ３０６：ＹＥＳ）、参照信号演算部６１ｅは、一時保存した同期用トレーニング信号を利用して新たな参照信号を求め、参照信号記憶部３１の保持内容を求めた新たな参照信号に更新する（ステップＳ３０７）。【０１１６】
復調されたパケット信号の誤りが検出されれば（ステップＳ３０６：ＮＯ）、参照信号演算部６１ｅは、一時保存した同期用トレーニング信号を破棄する（ステップＳ３０８）。
＜参照信号リセット部のリセット処理動作＞
図２０の参照信号リセット部６６による参照信号のリセット処理について図２２を参照しつつ説明する。図２２は図２０の参照信号リセット部６６による参照信号のリセット処理の処理手順を示すフローチャートである。【０１１７】
参照信号リセット部６６は、変数ｍの値を０にセットする（ステップＳ３５１）。
参照信号リセット部６６は、誤り検出部１５ｅから入力される誤り検出信号Ｓ１５に基づいて、パケット信号に誤りがあったかを判断する（ステップＳ３５２）。
パケット信号に誤りがなかった場合（ステップＳ３５２：ＮＯ）、ステップＳ３５１の処理へ戻り、参照信号リセット部６６は変数ｍの値を０にし、ステップＳ３５２以降の処理が行われる。【０１１８】
パケット信号に誤りがあった場合（ステップＳ３５２：ＹＥＳ）、参照信号リセット部６６は、変数ｍの値に１を加算する（ステップＳ３５３）。
参照信号リセット部６６は、変数ｍの値が誤り回数“３”以上であるかを判定する（ステップＳ３５４）。変数ｍの値が誤り回数“３”未満であれば（ステップＳ３５４：ＮＯ）、ステップＳ３５２以降の処理が行われる。【０１１９】
変数ｍの値が誤り回数“３”以上であれば（ステップＳ３５４：ＹＥＳ）、参照信号リセット部６６は、参照信号記憶部３１の記憶内容を初期参照信号に更新する（ステップＳ３５５）。
≪第７の実施の形態≫
以下、本発明の第７の実施の形態について図面を参照しつつ説明する。【０１２０】
上記の実施の形態は、パケット信号の検出処理及びシンボルタイミングの推定処理を１つの経路で行う。
これに対して、本実施の形態は、パケット信号の検出処理及びシンボルタイミングの推定処理を２つの経路で行う。
＜信号検出部の機能構成＞
本実施の形態の信号検出部１３ｆの機能構成について図２３を参照しつつ説明する。図２３は本実施の形態の信号検出部１３ｆの機能構成図である。【０１２１】
信号検出部１３ｆは、第１処理部１１０と第２処理部１３０とシンボルタイミング合成部１５０とを備える。第１処理部１１０と第２処理部１３０とは双方が同時に動作して、パケット信号の到来の検出処理及びシンボルタイミング推定処理を実行する。
第１処理部１１０は、参照信号記憶部１１１と相関部１１２とポジション検出部１１３と同期判定部１１４とを備える。【０１２２】
第１処理部１１０では、参照信号記憶部１１１が記憶する参照信号が更新されることがなく、相関部１１２はＢＢ信号Ｓ１２と常に同じ参照信号（初期参照信号）との相関値を求める。
ポジション検出部１１３と同期判定部１１４とは、夫々、第５の実施の形態のポジション検出部３４ｄと同期判定部３５ｄと実質的に同じ処理を行う。但し、ポジション検出部１１３は相関部１１２から入力される相関値の最大の値（以下、第１最大相関値という。）をシンボルタイミング合成部１５０へ出力する。また、同期判定部１１４は、推定したシンボルタイミングを示すＳＴ信号Ｓ１３ａを復調部１４へ出力する代わりにシンボルタイミング合成部１５０へ出力する。【０１２３】
第２処理部１３０は、参照信号記憶部１３１と相関部１３２とポジション検出部１３３と同期判定部１３４と参照信号演算部１３５とを備える。
第２処理部１３０では、参照信号記憶部１３１に記憶される参照信号は参照信号演算部１３５によって更新される。相関部１３２はＢＢ信号Ｓ１２と参照信号記憶部１３１に記憶されている初期参照信号又は更新後の参照信号との相関値を求める。【０１２４】
ポジション検出部１３３と同期判定部１３４とは、夫々、第５の実施の形態のポジション検出部３４ｄと同期判定部３５ｄと実質的に同じ処理を行う。但し、ポジション検出部１３３は相関部１３２から入力される相関値の最大の値（以下、第２最大相関値という。）をシンボルタイミング合成部１５０へ出力する。また、同期判定部１３４は、推定したシンボルタイミングを示すＳＴ信号Ｓ１３ｂを復調部１４へ出力する代わりにシンボルタイミング合成部１５０へ出力する。【０１２５】
参照信号演算部１３５は、第６の実施の形態の参照信号演算部６１ｅと実質的に同じ処理を行う。
シンボルタイミング合成部１５０は、同期判定部１１４から入力されるＳＴ信号Ｓ１３ａと同期判定部１３４から入力されるＳＴ信号Ｓ１３ｂとを合成し、復調部１４へ供給するＳＴ信号Ｓ１３を生成する。【０１２６】
具体的には、シンボルタイミング合成部１５０は、同期判定部１１４と同期判定部１３４との双方でパケット信号の到来が検出され、双方からＳＴ信号Ｓ１３ａ，Ｓ１３ｂが入力された場合、第１最大相関値と第２最大相関値とを比較する。そして、シンボルタイミング合成部１５０は、比較の結果、第１最大相関値が第２最大相関値より大きい場合、ＳＴ信号１３ａ，１３ｂのうちＳＴ信号１３ａを選択し、ＳＴ信号１３ａをＳＴ信号１３として復調部１４へ出力する。また、シンボルタイミング合成部１５０は、比較の結果、第２最大相関値が第１最大相関値以上の場合、ＳＴ信号１３ａ，１３ｂのうちＳＴ信号１３ｂを選択し、ＳＴ信号１３ａをＳＴ信号１３として復調部１４へ出力する。【０１２７】
なお、シンボルタイミング合成部１５０が上記のような選択を行うようにしたのは次の理由による。
例えば、第１最大相関値が第２最大相関値より大きい場合、第１処理部１１０におけるパケット信号の到来の検出及びシンボルタイミングの推定が、第２処理部１３０におけるパケット信号の到来の検出及びシンボルタイミングの推定より正しい可能性が高いからである。【０１２８】
シンボルタイミング合成部１５０は、同期判定部１１４のみによってパケット信号の到来が検出され、同期判定部１１４からＳＴ信号１３ａが入力された場合、入力されたＳＴ信号１３ａをＳＴ信号１３として復調部１４へ出力する。
シンボルタイミング合成部１５０は、同期判定部１３４のみによってパケット信号の到来が検出され、同期判定部１３４からＳＴ信号１３ｂが入力された場合、入力されたＳＴ信号１３ｂをＳＴ信号１３として復調部１４へ出力する。【０１２９】
なお、第１処理部１１０は初期参照信号を利用したパケット信号の到来の検出処理などを行っているため、第２処理部１３０には第６の実施の形態の参照信号リセット部６６に相当する機能ブロックを設けて参照信号を初期参照信号に更新する必要は特にない。
≪第８の実施の形態≫
以下、本発明の第８の実施の形態について図面を参照しつつ説明する。【０１３０】
本実施の形態は、第１の実施の形態に、第６の実施の形態で説明した参照信号の更新機能及び参照信号のリセット機能を付加したものである。
＜信号検出部の機能構成＞
本実施の形態の信号検出部１３ｇの機能構成について図２４を参照しつつ説明する。図２４は本実施の形態の信号検出部１３ｇの機能構成図である。但し、本実施の形態において、上記の実施の形態と同じ機能を有する構成要素には同じ符号を付し、上記の実施の形態の説明が適用できるため、本実施の形態ではその説明を省略する。【０１３１】
信号検出部１３ｇは、参照信号記憶部３１と相関部３２と区間分割部３３と区間ポジション検出部３４と同期判定部３５と参照信号演算部６１ｅと参照信号リセット部６６とを備える。
信号検出部１３ｇにＢＢ信号Ｓ１２が入力され、相関部３２によってＢＢ信号Ｓ１２と参照信号記憶部３１に記憶されている参照信号との相関値が順次求められ、相関値が相関部３２から出力される。参照信号記憶部３１に記憶されている参照信号は参照信号演算部６１ｅによって更新され、参照信号リセット部６６によって初期参照信号に更新される。つまり、相関部３２による相関値の算出に用いられる参照信号は第１の実施の形態のように固定ではない。【０１３２】
相関部３２の出力は区間分割部３３によってシンボルのシンボル時間毎に区切られる。区間ポジション検出部３４によって各々の区間における最大の相関値が検出され、検出された最大の相関値の区間内における相対的なポジションを示す第１ポジション情報が区間ポジション検出部３４から同期判定部３５へ出力される。同期判定部３５は、各々の区間の第１ポジション情報に基づいてパケット信号の到来の検出処理及びシンボルタイミング推定処理などを行って、ＳＴ信号Ｓ１３を復調部１４及び参照信号演算部６１ｅの夫々へ出力する。【０１３３】
参照信号記憶部３１に記憶される参照信号は、パケット信号の到来が検出され、検出されたパケット信号の誤りが検出されなかった場合に、参照信号演算部６１ｅによってパケット信号の同期用トレーニング信号に基づいて更新される。
また、参照信号記憶部３１に記憶される参照信号は、参照信号リセット部６６によってリセット条件に基づき初期参照信号に更新される。【０１３４】
≪第９の実施の形態≫
本実施の形態は、第２の実施の形態に、第６の実施の形態で説明した参照信号の更新機能及び参照信号のリセット機能を付加したものである。
＜信号検出部の機能構成＞
本実施の形態の信号検出部１３ｈの機能構成について図２５を参照しつつ説明する。図２５は本実施の形態の信号検出部１３ｈの機能構成図である。但し、本実施の形態において、上記の実施の形態と同じ機能を有する構成要素には同じ符号を付し、上記の実施の形態の説明が適用できるため、本実施の形態ではその説明を省略する。【０１３５】
信号検出部１３ｈは、参照信号記憶部３１と相関部３２と区間分割部３３と区間平均値演算部５１と区間閾値演算部５２と区間ポジション検出部３４ａと同期判定部３５ａと参照信号演算部６１ｅと参照信号リセット部６６とを備える。
信号検出部１３ｈにＢＢ信号Ｓ１２が入力され、相関部３２によってＢＢ信号Ｓ１２と参照信号記憶部３１に記憶されている参照信号との相関値が順次求められ、相関値が相関部３２から出力される。参照信号記憶部３１に記憶されている参照信号は参照信号演算部６１ｅによって更新され、参照信号リセット部６６によって初期参照信号に更新される。つまり、相関部３２による相関値の算出に用いられる参照信号は第２の実施の形態のように固定ではない。【０１３６】
相関部３２の出力は区間分割部３３によってシンボルのシンボル時間毎に区切られる。
各々の区間について、区間に属する相関値の平均値が区間平均値演算部５１によって算出され、算出された平均値を利用して各々の区間の閾値が区間閾値演算部５２によって算出される。そして、区間閾値演算部５２は算出した閾値を区間ポジション検出部３４ａに設定する。【０１３７】
区間ポジション検出部３４ａによって各々の区間の閾値を超える相関値が検出される。そして、検出された閾値を超える各々の相関値の区間内における相対的なポジションを示す第２ポジション情報が区間ポジション検出部３４ａから同期判定部３５ａへ出力される。同期判定部３５ａは、各々の区間の第２ポジション情報に基づいてパケット信号の検出処理及びシンボルタイミング推定処理などを行って、ＳＴ信号Ｓ１３を復調部１４及び参照信号演算部６１ｅの夫々へ出力する。【０１３８】
参照信号記憶部３１に記憶されている参照信号は、パケット信号の到来が検出され、検出されたパケット信号の誤りが検出されなかった場合に、参照信号演算部６１ｅによってパケット信号の同期用トレーニング信号に基づいて更新される。
また、参照信号記憶部３１に記憶されている参照信号は、参照信号リセット部６６によってリセット条件に基づき初期参照信号に更新される。【０１３９】
≪第１０の実施の形態≫
以下、本発明の第１０の実施の形態について図面を参照しつつ説明する。
本実施の形態は、パケット信号の検出処理及びシンボルタイミングの推定処理を２つの経路で行う。
＜信号検出部の機能構成＞
本実施の形態の信号検出部１３ｉの機能構成について図２６を参照しつつ説明する。図２６は本実施の形態の信号検出部１３ｉの機能構成図である。但し、本実施の形態において、上記の実施の形態と同じ機能を有する構成要素には同じ符号を付し、上記の実施の形態の説明が適用できるため、本実施の形態ではその説明を省略する。【０１４０】
信号検出部１３ｉは、第１処理部２１０と第２処理部２３０とシンボルタイミング合成部１５０とを備える。第１処理部２１０と第２処理部２３０とは双方が同時に動作して、パケット信号の到来の検出処理及びシンボルタイミング推定処理を実行する。
第１処理部２１０は、参照信号記憶部２１１と相関部２１２と区間分割部２１３と区間平均値演算部２１４と区間閾値演算部２１５と区間ポジション検出部２１６と同期判定部２１７とを備える。【０１４１】
第１処理部２１０では、参照信号記憶部２１１が記憶する参照信号が更新されることがなく、相関部２１２はＢＢ信号Ｓ１２と常に同じ参照信号（初期参照信号）との相関値を求める。
区間分割部２１３と区間平均値演算部２１４と区間閾値演算部２１５と区間ポジション検出部２１６と同期判定部２１７とは、夫々、第２の実施の形態の区間分割部３３と区間平均値演算部５１と区間閾値演算部５２と区間ポジション検出部３４ａと同期判定部３５ａと実質的に同じ処理を行う。但し、区間ポジション検出部２１６は相関部２１２によって求められた相関値の最大の値をシンボルタイミング合成部１５０へ出力する。また、同期判定部２１７は、推定したシンボルタイミングを示すＳＴ信号Ｓ１３ａを復調部１４へ出力する代わりにシンボルタイミング合成部１５０へ出力する。【０１４２】
第２処理部２３０は、参照信号記憶部２３１と相関部２３２と区間分割部２３３と区間平均値演算部２３４と区間閾値演算部２３５と区間ポジション検出部２３６と同期判定部２３７と参照信号演算部２３８とを備える。
第２処理部２３０では、参照信号記憶部２３１に記憶される参照信号は参照信号演算部２３８によって更新される。相関部２３２はＢＢ信号Ｓ１２と参照信号記憶部２３１に記憶されている初期参照信号又は更新後の参照信号との相関値を求める。【０１４３】
区間分割部２３３と区間平均値演算部２３４と区間閾値演算部２３５と区間ポジション検出部２３６と同期判定部２３７とは、夫々、第２の実施の形態の区間分割部３３と区間平均値演算部５１と区間閾値演算部５２と区間ポジション検出部３４ａと同期判定部３５ａと実質的に同じ処理を行う。但し、区間ポジション検出部２３６は相関部２３２によって求められた相関値の最大の値をシンボルタイミング合成部１５０へ出力する。また、同期判定部２３７は、推定したシンボルタイミングを示すＳＴ信号Ｓ１３ａを復調部１４へ出力する代わりにシンボルタイミング合成部１５０へ出力する。【０１４４】
参照信号演算部２３８は、第６の実施の形態の参照信号演算部６１ｅと実質的に同じ処理を行う。
≪補足≫
本発明は上記の実施の形態に限られるものではなく、例えば、次のようなものであってもよい。【０１４５】
（１）上記の実施の形態では変復調方式が無線ＬＡＮで用いられるＯＦＤＭ方式であるとして説明したが、変復調方式はこれに限られるものではない。変復調方式は、例えば、ＱＰＳＫ（Quadrature Phase Shift keying）やＱＡＭ（Quadrature Amplitude Modulation）などのシングルキャリア方式であってもよい。また、変復調方式は、ＣＤＭＡ（Code Division Multiple Access）などのスペクトラム拡散方式であってもよい。【０１４６】
（２）上記の実施の形態では無線ＬＡＮの規格がＩＥＥＥ８０２．１１ａであるとして説明したが、無線ＬＡＮの規格はこれに限られるものではなく、例えば、ＩＥＥＥ８０２．１１ｇなどであってもよい。
（３）上記の実施の形態では、無線ＬＡＮの規格としてＩＥＥＥ８０２．１１ａの規格を対象としているため、パケット信号の検出などに利用されるシンボルの繰り返し回数は１０回であるが、シンボルの繰り返し回数はこれに限られるものではなく、対象とする規格などによって適宜変更される。【０１４７】
（４）上記の第１の実施の形態では、区間分割部３３が相関部３２の出力を区切る一定時間をシンボルのシンボル時間としているが、一定時間はこれに限られるものではない。一定時間は、例えば、シンボルのシンボル時間の２以上の整数倍の時間であってもよい。なお、区間分割部３３を備える他の実施の形態においても同じである。
（５）上記の第１の実施の形態では、区間内の各々のポジションにシーケンシャルな番号を付与し、この番号を区間内における相対的なポジションを示す情報に用いているが、区間内における相対的なポジションを示す情報はこれに限られるものではない。例えば、区間内の各々のポジションに何れかのポジションを基準にした相対的な時間を付与し、付与した時間を区間内における相対的なポジションを示す情報に用いるようにしてもよい。なお、区間ポジション検出部３４，３４ａ，２１６，２３６を備える他の実施の形態においても同じである。【０１４８】
（６）上記の第１の実施の形態において、区間ポジション検出部３４が区間内における最大の相関値を検出する代わりに、区間ポジション検出部３４が区間内における値が大きい方から所定番目までの相関値を検出し、検出した各々の相関値のポジションを示すポジション情報を同期判定部３５へ出力するようにしてもよい。この場合、同期判定部３５は、区間ポジション検出部３４から入力されるポジション情報に基づいて、所定の連続区間数以上の連続する区間の全てにおいて、一のポジションの相関値が大きい方から所定番目までの相関値であれば、パケット信号が到来していると判断する。【０１４９】
なお、上記の内容を、例えば、第３及び第８の実施の形態に適用することができる。但し、第３の実施の形態に適用する場合には、同期判定部３５ｂは、積算区間数の区間において、最大ポジション情報が示すポジションの相関値が大きい方から所定番目までの相関値である区間が一致区間数以上あれば、パケット信号が到来していると判断する。
（７）上記の第２の実施の形態では、区間に属する相関値の平均値に固定の係数を乗算することによって当該区間の閾値を決定するようにしている。しかしながら、閾値の決定の仕方はこれに限られるものではなく、例えば、区間に属する平均値に所定の値を加算することによって当該区間の閾値を決定するようにしてもよい。また、閾値として単に平均値を用いるようにしてもよい。なお、上記の内容を、例えば、第４、第９及び第１０の実施の形態に適用することができる。【０１５０】
（８）上記の第３の実施の形態では、積算区間数を１０としたが、積算区間数は１０に限られるものではなく、例えば、シンボルの繰り返し回数に基づいて決定すればよい。なお、例えば、第４の実施の形態についても同じである。
（９）上記の第３の実施の形態では、閾値区間数を７としたが、閾値区間数は７に限られるものではなく、例えば、積算区間数に応じて閾値区間数を決定すればよい。なお、例えば、第４の実施の形態についても同じである。【０１５１】
（１０）上記の第３及び第４の実施の形態の夫々に、第５の実施の形態で説明した参照信号演算部６１又は第６の実施の形態で説明した参照信号演算部６１ｅを適用してもよい。
（１１）上記の第３及び第４の実施の形態の夫々に、第６の実施の形態で説明した参照信号リセット部６６を適用してもよい。【０１５２】
（１２）参照信号の算出に用いる受信したパケット信号は、第５の実施の形態では同期判定部３５ｄによって到来が検出されたパケット信号であり、第６の実施の形態では同期判定部３５ｄによって到来が検出されたパケット信号であって、誤り検出部１５ｅによって全体に誤りが検出されなかったパケット信号である。しかしながら、参照信号の算出に用いる受信したパケット信号はこれらに限られるものではなく、例えば、到来が検出されたパケット信号であって、ヘッダ情報に誤りがなかったパケット信号であってもよい。この場合、例えば、ヘッダ情報中の誤り検出符号による誤り検出能力が同期用トレーニング信号の検出性能より十分大きければ、同期用トレーニング信号以外の部分を用いて参照信号が更新される可能性は低い。【０１５３】
なお、上記の内容を、参照信号演算部６１，６１ｅを有する実施の形態に適用することができる。
（１３）上記の第５の実施の形態では、参照信号演算部６１による参照信号の算出に、受信したパケット信号の同期用トレーニング信号の最後尾のシンボルのみが利用されている。しかしながら、参照信号演算部６１は、受信したパケット信号の同期用トレーニング信号の例えば次のような部分を利用して新たな参照信号を求めてもよい。【０１５４】
参照信号演算部６１は、受信したパケット信号の同期用トレーニング信号の最後尾のシンボルから所定のシンボル数のシンボルを平均し、この結果得られた信号を新たな参照信号としてもよい。所定のシンボル数のシンボルを平均化することで、ノイズや干渉等の影響を低減することができる。
また、参照信号演算部６１は、受信したパケット信号の同期用トレーニング信号のシンボルのうち、平均電力値又は平均振幅値が所定の範囲内にあるシンボルを平均し、この結果得られた信号を新たな参照信号としてもよい。受信電力レベルが大きいパケット信号ほどパケット信号の同期用トレーニング信号はＡＧＣによる影響を長時間受ける。このため、同期用トレーニング信号のシンボルのうち平均電力値又は平均振幅値が所定の範囲内にあるシンボルを平均化することで、パケット信号の受信電力レベルが変動しても、ＡＧＣによる影響を受けていないシンボルにより参照信号を求めることが可能になる。【０１５５】
なお、上記の内容を、参照信号演算部６１ｅなど他の参照信号演算部に適用することができる。
特に、参照信号演算部においてシンボルを平均化する場合には、平均化するシンボルの数を２Ｎ（Ｎは整数）としておけば、加算器とビットシフトだけで平均化を行うことができ、回路規模の増大を抑えることができる。【０１５６】
（１４）上記の第５の実施の形態では、参照信号演算部６１による参照信号の算出に、最新に受信したパケット信号のみが利用されているが、例えば、最新に受信したパケット信号から所定のパケット数分のパケット信号を用いてもよい。なお、パケット信号を受信する際の搬送波の位相はパケット信号毎に異なる。このため、所定のパケット数分のパケット信号に対して平均化処理を施して参照信号を算出する場合には、シンボルの位相を補正してから平均化する必要がある。具体的には、シンボル間の相関値を求め、相関値の位相成分を求める。この位相成分がシンボル間の位相差を示すので、逆向きの位相回転を与えた後に所定のパケット数分のパケット信号に対して平均化処理を施せばよい。【０１５７】
なお、上記の内容を、参照信号演算部６１ｅなど他の参照信号演算部に適用することができる。
（１５）上記の第５の実施の形態では、参照信号演算部６１による参照信号の算出には最新に受信したパケット信号が常に用いられるが、例えば、次のようなものであってもよい。【０１５８】
例えば、参照信号演算部６１は、伝送路変動が比較的速い場合には最新に受信したパケット信号を用いて参照信号の算出を行い、伝送路変動が比較的遅い場合には最新に受信したパケット信号から所定のパケット数分のパケット信号を用いて参照信号の算出を行うようにしてもよい。なお、相関値の変化に基づいて伝送路変動の速さを検出し、検出結果に基づいて参照信号の算出に最新のパケット信号のみを用いるか、最新に受信したパケット信号から所定のパケット数分のパケット信号を用いるかを切り替えるようにすればよい。【０１５９】
なお、上記の内容を、参照信号演算部６１ｅなど他の参照信号演算部に適用することができる。
（１６）上記の第６の実施の形態では、リセット条件は、パケット信号の誤りが連続して所定の誤り回数のパケット信号で検出されることであるが、リセット条件はこれに限られるものではなく、例えば次のようなものであってもよい。【０１６０】
リセット条件は連続していなくてもパケット信号の誤りが所定の誤り回数のパケット信号で検出されることであってもよい。
また、リセット条件は、パケット信号のヘッダ情報の誤りが連続して所定の誤り回数のパケット信号で検出されることであってもよく、連続していなくてもパケット信号のヘッダ情報の誤りが所定の誤り回数のパケット信号で検出されることであってもよい。【０１６１】
さらに、リセット条件は、参照信号記憶部３１の記憶内容が最後に更新されてから所定時間経過することであってもよい。言い換えると、リセット条件は参照信号記憶部３１の記憶内容が所定時間更新されないことであってもよい。なお、一般的に、マルチパス歪みの状態は一定ではなく時間的に変動していることが多いので、一度参照信号が更新された後、参照信号が更新されないまま所定時間経過した場合、マルチパス歪みの状態は参照信号が更新された時点から大きく変わっている可能性が高い。従って、このようにすることで、参照信号が伝送路特性を全く反映しておらず、パケット信号が検出できないという状況を回避することができる。【０１６２】
さらに、リセット条件は、パケット信号が所定回数到来していると推定される場合に、同期判定部３５ｄによってパケット信号の到来が連続して複数回検出されないことであってもよい。また、リセット条件は、パケット信号が所定回数到来していると推定される場合に、同期判定部３５ｄによってパケット信号の到来が連続していなくても複数回検出されないことであってもよい。なお、パケット信号の到来の推定は、受信信号の受信電力レベルを計測する回路を設け、計測した受信信号の受信電力レベルの変化に基づいて行うことができる。そして、参照信号リセット部６６は、リセット条件に基づく参照信号記憶部３１の記憶内容の更新を、パケット信号の到来の推定結果及び同期判定部３５ｄによるパケット信号の到来の検出結果に基づいて行うようにすればよい。【０１６３】
なお、上記のリセット条件は他の実施の形態に適用することができる。
（１７）上記の第７及び第１０の実施の形態では、シンボルタイミング合成部１５０にＳＴ信号１３ａ，１３ｂの双方が入力された場合、第１最大相関値及び第２最大相関値に基づいてＳＴ信号１３ａ，１３ｂの一方を選択してＳＴ信号１３としているが、これに限らず、例えば、次のようなものであってもよい。ＳＴ信号１３ａが示すシンボルタイミングとＳＴ信号１３ｂが示すシンボルタイミングとの平均値或いは重み付け合成した合成値を求め、求めたシンボルタイミングをＳＴ信号１３が示すシンボルタイミングにしてもよい。【０１６４】
（１８）上記の第１０の実施の形態において、第１処理部２１０の区間平均値演算部２１４、区間閾値演算部２１５、区間ポジション検出部２１６、及び同期判定部２１７によって行われる処理内容を、第１の実施の形態の区間ポジション検出部３４、及び同期判定部３５によって行われる処理内容と実質的に同じ処理内容に置き換えてもよい。
また、第１処理部２１０の区間平均値演算部２１４、区間閾値演算部２１５、区間ポジション検出部２１６、及び同期判定部２１７によって行われる処理内容を、第３の実施の形態の相関値積算部５６、最大ポジション検出部５７、区間ポジション検出部３４及び同期判定部３５ｂによって行われる処理内容と実質的に同じ処理内容に置き換えてもよい。【０１６５】
さらに、第１処理部２１０の区間平均値演算部２１４、区間閾値演算部２１５、区間ポジション検出部２１６、及び同期判定部２１７によって行われる処理内容を、第４の実施の形態の区間平均値演算部５１、区間閾値演算部５２、区間ポジション検出部３４ａ、相関値積算部５６、最大ポジション検出部５７、及び同期判定部３５ｂによって行われる処理内容と実質的に同じ処理内容に置き換えてもよい。【０１６６】
なお、第２処理部２３０においても上記と同様の置き換えを行ってもよい。
（１９）上記の各実施の形態は、例えば、ＣＳＭＡ（Carrier Sense Multiple Access）方式を用いる無線ＬＡＮシステムの他、ＴＤＭＡ（Time Division Multiple Access）、ＦＤＭＡ（Frequency Division Multiple Access）、ＣＤＭＡ（Code Division Multiple Access）、ＳＤＭＡ（Space Division Multiple Access）などの様々なアクセス方式を用いる無線通信システムに適用することができる。【０１６７】
（２０）上記の各実施の形態の構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
ここでは、ＬＳＩとしたが、集積度の違いにより、ＩＣ（Integrated Circuit）、システムＬＳＩ、スーパーＬＳＩ、ウルトラＬＳＩと呼称されることもある。【０１６８】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０１６９】
本発明は、パケット信号、特に、ＣＳＭＡ方式やＴＤＭＡ方式のようにバースト的に送信されるパケット信号に付加されたトレーニング信号に基づくパケット信号の到来を検出する信号検出装置に利用することができる。
【図１】
2007125846.tif 000003
【図２】
2007125846.tif 000004
【図３】
2007125846.tif 000005
【図４】
2007125846.tif 000006
【図５】
2007125846.tif 000007
【図６】
2007125846.tif 000008
【図７】
2007125846.tif 000009
【図８】
2007125846.tif 000010
【図９】
2007125846.tif 000011
【図１０】
2007125846.tif 000012
【図１１】
2007125846.tif 000013
【図１２】
2007125846.tif 000014
【図１３】
2007125846.tif 000015
【図１４】
2007125846.tif 000016
【図１５】
2007125846.tif 000017
【図１６】
2007125846.tif 000018
【図１７】
2007125846.tif 000019
【図１８】
2007125846.tif 000020
【図１９】
2007125846.tif 000021
【図２０】
2007125846.tif 000022
【図２１】
2007125846.tif 000023
【図２２】
2007125846.tif 000024
【図２３】
2007125846.tif 000025
【図２４】
2007125846.tif 000026
【図２５】
2007125846.tif 000027
【図２６】
2007125846.tif 000028
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
送信側でパケット信号の先頭に複数付加される所定パターンの信号波形であるシンボルに基づいて受信信号からパケット信号の到来の検出を行う信号検出装置において、
順次、受信信号と前記シンボルに基づく参照信号との相関値を求め、当該相関値を出力する相関手段と、
前記相関手段の出力を一定時間毎に区切る区間分割手段と、
前記区間分割手段により区切られた各々の区間において、区間に属する相関値の中から所定の条件を満たす相関値を検出し、検出した相関値の区間内における相対的なポジションを示すポジション情報を出力する区間ポジション検出手段と、
前記区間ポジション検出手段から出力される各々の区間のポジション情報に基づいてパケット信号の到来の検出を行う同期判定手段と、
を備えることを特徴とする信号検出装置。
【請求項２】
前記所定の条件を満たす相関値は区間における最大の相関値であることを特徴とする請求項１記載の信号検出装置。
【請求項３】
前記所定の条件を満たす相関値は区間における値の大きい方から所定番目までの相関値であることを特徴とする請求項１記載の信号検出装置。
【請求項４】
前記所定の条件を満たす相関値は区間に設定される閾値より大きい相関値であり、
各々の区間において、区間に属する相関値の平均値を求める区間平均値演算手段と、
各々の区間において、前記区間平均値演算手段により求められる区間に属する相関値の平均値に基づいて当該区間の閾値を決定し、決定した閾値を前記区間ポジション検出手段に設定する区間閾値決定手段と、
を更に備え、
前記区間ポジション検出手段は、前記所定の条件を満たす相関値の検出を、相関値と当該相関値が属する区間に設定された閾値とを比較することにより行う
ことを特徴とする請求項１記載の信号検出装置。
【請求項５】
前記一定時間は、１シンボルの時間の長さの正の整数倍の時間であることを特徴とする請求項１記載の信号検出装置。
【請求項６】
前記同期判定手段は、前記ポジション情報が示すポジションが連続する所定の連続数以上の区間において同じである場合に前記パケット信号が到来したと判断する
ことを特徴とする請求項２記載の信号検出装置。
【請求項７】
相対的なポジションの各々について、所定の積算区間数の区間にわたって同じ相対的なポジションの相関値を積算する相関値積算手段と、
前記相関値積算手段により積算される積算値の中から所定の判定ポジション条件を満たす積算値を検出し、検出した前記判定ポジション条件を満たす積算値のポジションを示す判定ポジション情報を出力する判定ポジション検出手段と、
を更に備え、
前記同期判定手段は、前記パケット信号の到来の検出を、前記判定ポジション検出手段から出力される判定ポジション情報が示すポジションにおいて行う
ことを特徴とする請求項１記載の信号検出装置。
【請求項８】
前記判定ポジション条件を満たす積算値は最大の積算値であることを特徴とする請求項７記載の信号検出装置。
【請求項９】
前記同期判定手段は、前記積算区間数の区間において、前記ポジション情報が示すポジションと前記判定ポジション情報が示すポジションとが一致する区間が所定の一致区間数以上存在する場合に前記パケット信号が到来していると判断する
ことを特徴とする請求項７に記載の信号検出装置。
【請求項１０】
前記参照信号を記憶する記憶手段と、
受信したパケット信号に基づいて新たな参照信号を求め、前記記憶手段に記憶する参照信号を当該新たな参照信号に更新する参照信号演算手段と、
を更に備え、
前記相関手段は、前記相関値の算出を前記記憶手段に記憶されている参照信号を用いて行う
ことを特徴とする請求項１記載の信号検出装置。
【請求項１１】
前記記憶手段に記憶する参照信号を前記所定パターンの信号波形と同じ信号波形の信号に所定のリセット条件に基づいて更新するリセット手段
を更に備えることを特徴とする請求項１０記載の信号検出装置。
【請求項１２】
前記同期判定手段は、更に、前記区間ポジション検出手段から出力される各々の区間のポジション情報に基づいてシンボルタイミングの推定を行い、
順次、受信信号と前記シンボルと同じ信号波形の信号との相関値を求め、当該相関値を出力する第１相関手段と、
前記第１相関手段の出力を一定時間毎に区切る分割する第１区間分割手段と、
前記第１区間分割手段により区切られた各々の区間において、区間に属する相関値の中から前記所定の条件を満たす相関値を検出し、検出した相関値の区間内における相対的なポジションを示すサブポジション情報を出力する第１区間ポジション検出手段と、
前記第１区間ポジション検出手段から出力される各々の区間のサブポジション情報に基づいてパケット信号の到来の検出及びシンボルタイミングの推定を行う第１同期判定手段と、
前記同期判定手段により推定されるシンボルタイミングと前記第１同期判定手段により推定されるシンボルタイミングとの合成を行う合成手段と、
を更に備えることを特徴とする請求項１０に記載の信号検出装置。
【請求項１３】
前記参照信号の算出に用いる前記受信したパケット信号は、到来が検出されたパケット信号であることを特徴とする請求項１０記載の信号検出装置。
【請求項１４】
前記参照信号の算出に用いる前記受信したパケット信号は、到来が検出されたパケット信号であって、ヘッダ情報に誤りが検出されなかったパケット信号であることを特徴とする請求項１０記載の信号検出装置。
【請求項１５】
前記参照信号の算出に用いる前記受信したパケット信号は、到来が検出されたパケット信号であって、パケット信号全体に誤りが検出されなかったパケット信号であることを特徴とする請求項１０記載の信号検出装置。
【請求項１６】
前記参照信号演算手段は、前記参照信号の算出を、最新に受信したパケット信号に基づいて行うことを特徴とする請求項１０記載の信号検出装置。
【請求項１７】
前記参照信号演算手段は、前記参照信号の算出を、最新に受信したパケット信号から所定のパケット数分のパケット信号に基づいて行うことを特徴とする請求項１０記載の信号検出装置。
【請求項１８】
前記参照信号演算手段は、前記参照信号の算出を、受信したパケット信号の先頭に付加された複数のシンボルのうち最後尾のシンボルに基づいて行うことを特徴とする請求項１０記載の信号検出装置。
【請求項１９】
前記参照信号演算手段は、前記参照信号の算出を、受信したパケット信号の先頭に付加された複数のシンボルのうち、最後尾から所定のシンボル数分のシンボルに基づいて行うことを特徴とする請求項１０記載の信号検出装置。
【請求項２０】
前記参照信号演算手段は、前記参照信号の算出を、受信したパケット信号の先頭に付加された複数のシンボルのうち、所定の電力範囲内にあるシンボル又は所定の振幅範囲内にあるシンボルに基づいて行うことを特徴とする請求項１０記載の信号検出装置。
【請求項２１】
前記リセット条件はパケット信号の誤りが所定のパケット数のパケットで検出されることであることを特徴とする請求項１１記載の信号検出装置。
【請求項２２】
前記リセット条件はパケット信号のヘッダ情報の誤りが所定のパケット数のパケットで検出されることであることを特徴とする請求項１１記載の信号検出装置。
【請求項２３】
前記リセット条件は前記記憶手段に記憶されている前記参照信号が所定時間更新されないことであることを特徴とする請求項１１記載の信号検出装置。
【請求項２４】
前記リセット条件は、パケット信号が所定回数到来していると推定される場合に、前記同期判定手段がパケット信号の到来を検出できないことであり、
受信信号の受信電力レベルを計測し、計測した受信電力レベルに基づいてパケット信号の到来を推定する推定手段を更に備え、
前記リセット手段は、前記リセット条件に基づく前記記憶手段の記憶内容の更新を、前記推定手段によるパケット信号の到来の推定結果及び前記同期判定手段によるパケット信号の到来の検出結果に基づいて行う
ことを特徴とする請求項１１記載の信号検出装置。
【請求項２５】
送信側でパケット信号の先頭に複数付加される所定パターンの信号波形であるシンボルに基づいて受信信号からパケット信号の到来の検出を行う信号検出方法において、
順次、受信信号と前記シンボルに基づく参照信号との相関値を求め、当該相関値を出力する相関ステップと、
前記相関ステップにおける出力を一定時間毎に区切る区間分割ステップと、
前記区間分割ステップで区切られた各々の区間において、区間に属する相関値の中から所定の条件を満たす相関値を検出し、検出した相関値の区間内における相対的なポジションを示すポジション情報を出力する区間ポジション検出ステップと、
前記区間ポジション検出ステップにおいて出力される各々の区間のポジション情報に基づいてパケット信号の到来の検出を行う同期判定ステップと、
を有することを特徴とする信号検出方法。
【手続補正２】
【補正対象書類名】明細書
【補正対象項目名】全文
【補正方法】変更
【補正の内容】
【発明の詳細な説明】
【技術分野】
【０００１】
本発明は、パケット信号の先頭に複数付加される所定パターンの信号波形に基づいてパケット信号の到来を検出する技術に関する。
【背景技術】
【０００２】
近年、無線ＬＡＮ（Local Area Network）が急速に普及している。無線ＬＡＮの規格には、例えば、５．２ＧＨｚ帯を用いたＩＥＥＥ（Institute of Electrical and Electronic Engineers）８０２．１１ａや２．４ＧＨｚ帯を用いたＩＥＥＥ８０２．１１ｇなどの規格がある。ＩＥＥＥ８０２．１１ａ及びＩＥＥＥ８０２．１１ｇでは、ＯＦＤＭ(Orthogonal Frequency Division Multiplexing)と呼ばれるマルチキャリア通信方式を用いて通信が行われる。
【０００３】
ここで、ＯＦＤＭを用いた無線ＬＡＮの通信方式において、受信機に備えられた信号検出装置におけるパケット信号の検出処理について概要を説明する。
送信機は、パケット信号の先頭に、トレーニングシンボルを複数回繰り返した繰り返し信号を付加し、受信機宛にパケット信号を送信する。但し、トレーニングシンボルは所定パターンの信号波形をしたシンボルである。なお、対象とする無線ＬＡＮの規格が、例えば、ＩＥＥＥ８０２．１１ａの規格である場合、トレーニングシンボルはショートトレーニングシンボルと呼ばれる。
【０００４】
信号検出装置は、受信信号と予め内部記憶している参照信号との相関値を順次求める。信号検出装置は、相関値の各々と受信信号電力レベルに応じて決定された閾値とを比較し、閾値を超える相関値の時間軸上のポジションを検出する。そして、信号検出装置は、検出した隣り合うポジションの時間間隔が連続してトレーニングシンボルの繰り返し周期であった場合に、パケット信号が到来していると判断し、パケット信号を復調する基準のシンボルタイミングを推定する（例えば、特許文献１参照。）。
【０００５】
なお、従来技術において用いられる参照信号は、送信機によってトレーニングシンボルがパケット信号の先頭に付加された時点の当該トレーニングシンボルの信号波形と同じ信号である。
【特許文献１】特開２００１−１２７７４５号公報
【発明の開示】
【発明が解決しようとする課題】
【０００６】
しかしながら、無線伝送路が変動するため、無線伝送路を伝送して受信機に受信されるトレーニングシンボルの受信電力レベルは変動する。また、トレーニングシンボルには無線伝送路による波形歪が生じる。このため、受信機が受信したトレーニングシンボルと参照信号との相関値は、通常一定の値にならず、受信したトレーニングシンボル毎に異なった値となる。
【０００７】
例えば、受信中のトレーニングシンボルの受信電力レベルが低下すると、トレーニングシンボルと参照信号との相関値は小さくなる。このため、受信中のトレーニングシンボルの受信電力レベルが低下すれば、本来なら閾値を超えるはずのトレーニングシンボルと参照信号との相関値が閾値以下になる可能性が高くなる。つまり、本来検出されるべきトレーニングシンボルの到来タイミングに相当するポジションの検出が行われない可能性が高くなる。従って、従来の信号検出装置は、受信中のトレーニングシンボルの受信電力レベルが低下すれば、パケット信号の到来の検出能力が低下する。
【０００８】
また、信号検出装置を備える受信機の通信エリアに他の無線通信システムの送信機及び受信機（以下、これらを干渉局と言う。）が存在することがある。この環境では、受信機が受信する受信信号には干渉局が送信したパケット信号（以下、干渉信号と言う。）が含まれることがあり、受信電力レベルに応じて決定される閾値は干渉信号の影響を受ける。
例えば、干渉信号の受信電力レベルが大きくなると、受信信号電力レベルに基づいて決定される閾値は大きくなる。このため、干渉信号の受信電力レベルが大きくなれば、受信中のトレーニングシンボルと参照信号との相関値が閾値以下になる可能性が高くなる。つまり、本来検出されるべきトレーニングシンボルが到来したタイミングに相当するポジションの検出が行われない可能性が高くなる。従って、従来の信号検出装置は、干渉信号の受信電力レベルが高くなれば、パケット信号の到来の検出能力が低下する。
【０００９】
そこで、本発明は、従来の信号検出装置に比べ、パケット信号の到来の検出能力が高い信号検出装置及び信号検出方法を提供することを目的とする。
【課題を解決するための手段】
【００１０】
上記目的を達成するために本発明の信号検出装置は、送信側でパケット信号の先頭に複数付加される所定パターンの信号波形であるシンボルに基づいて受信信号からパケット信号の到来の検出を行う信号検出装置において、順次、受信信号と前記シンボルに基づく参照信号との相関値を求め、当該相関値を出力する相関手段と、前記相関手段の出力を一定時間毎に区切る区間分割手段と、前記区間分割手段により区切られた各々の区間において、区間に属する相関値の中から所定の条件を満たす相関値を検出し、検出した相関値の区間内における相対的なポジションを示すポジション情報を出力する区間ポジション検出手段と、前記区間ポジション検出手段から出力される各々の区間のポジション情報に基づいてパケット信号の到来の検出を行う同期判定手段と、を備える。
【００１１】
本発明の信号検出方法は、送信側でパケット信号の先頭に複数付加される所定パターンの信号波形であるシンボルに基づいて受信信号からパケット信号の到来の検出を行う信号検出方法において、順次、受信信号と前記シンボルに基づく参照信号との相関値を求め、当該相関値を出力する相関ステップと、前記相関ステップにおける出力を一定時間毎に区切る区間分割ステップと、前記区間分割ステップで区切られた各々の区間において、区間に属する相関値の中から所定の条件を満たす相関値を検出し、検出した相関値の区間内における相対的なポジションを示すポジション情報を出力する区間ポジション検出ステップと、前記区間ポジション検出ステップにおいて出力される各々の区間のポジション情報に基づいてパケット信号の到来の検出を行う同期判定ステップと、を有する。
【発明の効果】
【００１２】
上記の信号検出装置及び信号検出方法の夫々は、区間単位で所定の条件を満たす相関値を検出している。このため、例えば、受信中のシンボルと参照信号との相関値が低くなった場合や干渉信号の受信電力レベルが大きくなった場合などでも、シンボルの到来タイミングに相当するポジションの相関値を検出できる。そして、上記の信号検出装置及び信号検出方法の夫々は、検出された相関値のポジションがシンボルの到来タイミングに相当するポジションを含んでいれば、パケット信号の到来を検出可能である。従って、上記の信号検出装置及び信号検出方法の夫々によれば、パケットの信号の検出能力の向上が図られる。
【００１３】
上記の信号検出装置において、前記所定の条件を満たす相関値は区間における最大の相関値であってもよい。
各々の区間において受信信号と参照信号との相関値はシンボルの到来タイミングに相当するポジションで最大になる可能性が高い。
上記の信号検出装置によれば、シンボルの到来タイミングである可能性が低いポジションではパケット信号の到来の検出を行なっていないため、パケット信号の到来の誤検出を可能な限り防ぐことができる。
【００１４】
上記の信号検出装置において、前記所定の条件を満たす相関値は区間における値の大きい方から所定番目までの相関値であってもよい。
例えば、受信信号が干渉信号の影響やノイズの影響を受けている場合、各々の区間において、受信信号と参照信号との相関値がシンボルの到来タイミングに相当するポジションで最大にならない可能性がある。
【００１５】
上記の信号検出装置は、区間内における値の大きい方から所定番目までの相関値のポジションに基づいてパケット信号の到来の検出を行う。このため、上記の信号検出装置によれば、検出される相関値のポジションがシンボルの到来タイミングに相当するポジションを含む可能性がより高くなり、パケット信号の到来の検出能力の向上が図られる。
上記の信号検出装置において、前記所定の条件を満たす相関値は区間に設定される閾値より大きい相関値であり、各々の区間において、区間に属する相関値の平均値を求める区間平均値演算手段と、各々の区間において、前記区間平均値演算手段により求められる区間に属する相関値の平均値に基づいて当該区間の閾値を決定し、決定した閾値を前記区間ポジション検出手段に設定する区間閾値決定手段と、を更に備え、前記区間ポジション検出手段は、前記所定の条件を満たす相関値の検出を、相関値と当該相関値が属する区間に設定された閾値とを比較することにより行うようにしてもよい。
【００１６】
例えば、受信信号が干渉信号の影響やノイズの影響を受けている場合、各々の区間において、受信信号と参照信号との相関値がシンボルの到来タイミングに相当するポジションで最大にならない可能性がある。
上記の信号検出装置は、区間内における閾値より大きい相関値のポジションに基づいてパケット信号の到来の検出を行う。このため、検出される相関値のポジションがシンボルの到来タイミングに相当するポジションを含む可能性がより高くなり、パケット信号の到来の検出能力の向上が図られる。
【００１７】
上記の信号検出装置において、前記一定時間は、１シンボルの時間の長さの正の整数倍の時間であってもよい。
これによれば、例えば、検出されるポジションの時間間隔が１シンボルの時間の長さ（以下、シンボル時間と言う。）に一致するか否かの判断を容易に行えるようになる。
上記の信号検出装置において、前記同期判定手段は、前記ポジション情報が示すポジションが連続する所定の連続数以上の区間において同じである場合に前記パケット信号が到来したと判断するようにしてもよい。
【００１８】
これによれば、パケット信号が到来しているか否かの判断処理が容易になる。
上記の信号検出装置において、相対的なポジションの各々について、所定の積算区間数の区間にわたって同じ相対的なポジションの相関値を積算する相関値積算手段と、前記相関値積算手段により積算される積算値の中から所定の判定ポジション条件を満たす積算値を検出し、検出した前記判定ポジション条件を満たす積算値のポジションを示す判定ポジション情報を出力する判定ポジション検出手段と、を更に備え、前記同期判定手段は、前記パケット信号の到来の検出を、前記判定ポジション検出手段から出力される判定ポジション情報が示すポジションにおいて行うようにしてもよい。
【００１９】
上記の信号検出装置において、前記判定ポジション条件を満たす積算値は最大の積算値であるようにしてもよい。
各々の区間において、シンボルの到来タイミングにおける受信信号と参照信号との相関値は、他のタイミングの相関値より通常大きい。このため、シンボルの到来タイミングに相当するポジションの相関値を所定の積算区間数の区間にわたって積算した積算値は、シンボルの到来タイミング以外のタイミングに相当するポジションの相関値を所定の積算区間数の区間にわたって積算した積算値より大きい可能性が高い。
【００２０】
上記の信号検出装置によれば、シンボルの到来タイミングである可能性が低いポジションではパケット信号の到来の検出を行なっていないため、パケット信号の到来の誤検出を可能な限り防ぐことができる。
上記信号検出装置において、前記同期判定手段は、前記積算区間数の区間において、前記ポジション情報が示すポジションと前記判定ポジション情報が示すポジションとが一致する区間が所定の一致区間数以上存在する場合に前記パケット信号が到来していると判断するようにしてもよい。
【００２１】
これによれば、パケット信号が到来しているか否かの判断処理が容易になる。
上記信号検出装置において、前記参照信号を記憶する記憶手段と、受信したパケット信号に基づいて新たな参照信号を求め、前記記憶手段に記憶する参照信号を当該新たな参照信号に更新する参照信号演算手段と、を更に備え、前記相関手段は、前記相関値の算出を前記記憶手段に記憶されている参照信号を用いて行うようにしてもよい。
【００２２】
受信信号に含まれるパケット信号の先頭に付加されたシンボルの信号波形は、マルチパスの影響やノイズの影響などにより、送信時のシンボルの信号波形と異なる。このため、受信中のシンボルと初期参照信号との相関値が小さくなってしまい、シンボルの到来タイミングに相当するポジションの相関値が所定の条件を満たさないことがある。ここで、初期参照信号とは、送信側でシンボルがパケット信号の先頭に付加された時点での当該シンボルの信号波形と同じ信号である。
【００２３】
これに対して、上記の信号検出装置は、過去に受信したパケット信号に基づいて新たな参照信号を求め、相関値の算出に利用している。このため、相関値の算出に用いられる新たな参照信号の信号波形は、例えば、マルチパスの影響やノイズの影響を反映したものになり、初期参照信号の信号波形に比べ、受信中のシンボルの信号波形に類似している可能性が高い。
【００２４】
従って、受信中のシンボルと新たな参照信号との相関値は、受信中のシンボルと初期参照信号との相関値に比べ、大きい可能性が高い。この結果、シンボルの到来タイミングに相当するポジションの相関値が所定の条件を満たす可能性が高く、パケット信号の到来の検出能力の向上が図られる。
上記の信号検出装置において、前記記憶手段に記憶する参照信号を前記所定パターンの信号波形と同じ信号波形の信号に所定のリセット条件に基づいて更新するリセット手段を更に備えるようにしてもよい。
【００２５】
例えば、参照信号演算手段が誤って新たな参照信号を求めてしまった場合、参照信号演算手段によって求められた参照信号が伝送路変動などのため現在の伝送路特性を反映しなくなってしまう場合がある。この場合、参照信号演算手段により求められた参照信号の信号波形は、受信するシンボルの信号波形と類似しない。このため、受信しているシンボルと新たな参照信号との相関値は所定の条件を満たさない可能性が高く、パケット信号の到来の見落としやパケット信号の到来の誤検出が起こってしまう。
【００２６】
上記の信号検出装置によれば、参照信号演算手段により求められた新たな参照信号を所定のリセット条件に基づき所定パターンの信号波形の信号に戻すので、上記の問題を回避できる。
上記の信号検出装置において、前記同期判定手段は、更に、前記区間ポジション検出手段から出力される各々の区間のポジション情報に基づいてシンボルタイミングの推定を行い、順次、受信信号と前記シンボルと同じ信号波形の信号との相関値を求め、当該相関値を出力する第１相関手段と、前記第１相関手段の出力を一定時間毎に区切る分割する第１区間分割手段と、前記第１区間分割手段により区切られた各々の区間において、区間に属する相関値の中から前記所定の条件を満たす相関値を検出し、検出した相関値の区間内における相対的なポジションを示すサブポジション情報を出力する第１区間ポジション検出手段と、前記第１区間ポジション検出手段から出力される各々の区間のサブポジション情報に基づいてパケット信号の到来の検出及びシンボルタイミングの推定を行う第１同期判定手段と、前記同期判定手段により推定されるシンボルタイミングと前記第１同期判定手段により推定されるシンボルタイミングとの合成を行う合成手段と、を更に備えるようにしてもよい。
【００２７】
上記の信号検出装置によれば、２経路でパケット信号の到来の検出を行うため、一方の経路でパケット信号が到来したことを検出できなくても、他方の経路でパケット信号が到来したことを検出できることがあるので、パケット信号の到来の検出能力の向上が図られる。
上記信号検出装置において、前記参照信号の算出に用いる前記受信したパケット信号は、到来が検出されたパケット信号であってもよい。
【００２８】
上記信号検出装置において、前記参照信号の算出に用いる前記受信したパケット信号は、到来が検出されたパケット信号であって、ヘッダ情報に誤りが検出されなかったパケット信号であってもよい。
上記信号検出装置において、前記参照信号の算出に用いる前記受信したパケット信号は、到来が検出されたパケット信号であって、パケット信号全体に誤りが検出されなかったパケット信号であってもよい。
【００２９】
上記信号検出装置において、前記参照信号演算手段は、前記参照信号の算出を、最新に受信したパケット信号に基づいて行うようにしてもよい。
上記信号検出装置において、前記参照信号演算手段は、前記参照信号の算出を、最新に受信したパケット信号から所定のパケット数分のパケット信号に基づいて行うようにしてもよい。
【００３０】
上記信号検出装置において、前記参照信号演算手段は、前記参照信号の算出を、受信したパケット信号の先頭に付加された複数のシンボルのうち最後尾のシンボルに基づいて行うようにしてもよい。
上記信号検出装置において、前記参照信号演算手段は、前記参照信号の算出を、受信したパケット信号の先頭に付加された複数のシンボルのうち、最後尾から所定のシンボル数分のシンボルに基づいて行うようにしてもよい。
【００３１】
上記信号検出装置において、前記参照信号演算手段は、前記参照信号の算出を、受信したパケット信号の先頭に付加された複数のシンボルのうち、所定の電力範囲内にあるシンボル又は所定の振幅範囲内にあるシンボルに基づいて行うようにしてもよい。
これらの信号検出装置によれば、参照信号演算手段により求められる新たな参照信号が伝送路特性などを可能な限り反映したものなる。
【００３２】
上記信号検出装置において、前記リセット条件はパケット信号の誤りが所定のパケット数のパケットで検出されることであってもよい。
上記信号検出装置において、前記リセット条件はパケット信号のヘッダ情報の誤りが所定のパケット数のパケットで検出されることであってもよい。
上記信号検出装置において、前記リセット条件は前記記憶手段に記憶されている前記参照信号が所定時間更新されないことであってもよい。
【００３３】
上記信号検出装置において、前記リセット条件は、パケット信号が所定回数到来していると推定される場合に、前記同期判定手段がパケット信号の到来を検出できないことであり、受信信号の受信電力レベルを計測し、計測した受信電力レベルに基づいてパケット信号の到来を推定する推定手段を更に備え、前記リセット手段は、前記リセット条件に基づく前記記憶手段の記憶内容の更新を、前記推定手段によるパケット信号の到来の推定結果及び前記同期判定手段によるパケット信号の到来の検出結果に基づいて行うようにしてもよい。
【００３４】
これらによれば、例えば、参照信号演算手段によって誤って参照信号が求められたと推測される場合や参照信号演算手段によって求められた新たな参照信号が伝送路特性などを反映しなくなったと推測される場合に参照信号を所定パターンの信号波形の信号に更新できる。
【発明を実施するための最良の形態】
【００３５】
≪第１の実施の形態≫
以下、本発明の第１の実施の形態について図面を参照しつつ説明する。
＜システム構成＞
本実施の形態における無線通信システムのシステム構成について図１を参照しつつ説明する。図１は本実施の形態の無線通信システムのシステム構成図である。なお、後述する他の実施の形態においても無線通信システムのシステム構成は図１に示すシステム構成と実質的に同じである。
【００３６】
但し、本実施の形態及び後述する実施の形態では、無線ＬＡＮの規格がＩＥＥＥ８０２．１１ａであり、変復調方式がＩＥＥＥ８０２．１１ａで用いられるＯＦＤＭ方式であるとして説明する。
無線通信システム１には、送信機２及び受信機３が含まれており、送信機２と受信機３とは無線通信を行っている。
【００３７】
送信機２によって無線送信されたパケット信号は、受信機３に、直接到来する（図１のパスＳ１）とともに、反射や回折などして到来する（図１のパスＳ２，Ｓ３）。
干渉局４によって無線送信されたパケット信号は、受信機３に到来する（図１のパスＳ４）。
このように、受信機３は、希望信号（送信機２によって無線送信されたパケット信号）を受信するとともに、干渉信号（干渉局４によって無線送信されたパケット信号）を受信する。
【００３８】
＜パケット信号＞
図１の無線通信システム１で送受信されるパケット信号について図２を参照しつつ説明する。図２は無線通信システム１で送受信されるパケット信号のフォーマットの一例を示す図である。
パケット信号５は、同期用トレーニング信号６と伝送路推定用トレーニング信号７と複数のＯＦＤＭシンボル８，９とで構成される。
【００３９】
同期用トレーニング信号６は、所定パターンの信号波形であるショートトレーニングシンボル６ａ，６ｂ，・・・，６ｊを複数回繰り返した繰り返し信号である。ＩＥＥＥ８０２．１１ａの規格では、ショートトレーニングシンボルの繰り返し回数は１０回である。
同期用トレーニング信号６は、パケット信号の到来の検出、受信機の自動利得調整（ＡＧＣ：AutomaticGain Control）、キャリア周波数誤差の粗調整、及びシンボルタイミングの推定などに利用される。
【００４０】
なお、以下では、ショートトレーニングシンボルを、単に、シンボルと記載する。
伝送路推定用トレーニング信号７は、所定パターンの信号波形であるロングトレーニングシンボルなどで構成される。
伝送路推定用トレーニング信号７は、キャリア周波数誤差の微調整、及び伝送路推定などに利用される。
【００４１】
ＯＦＤＭシンボル８，９には、伝送する情報データの他、パケット信号のパケット長、パケット信号の送信元の機器及び宛先の機器の夫々のアドレス、並びに、パケット信号を正しく復調できたかを確認するために利用される誤り検出符号などが格納される。
＜受信機の装置構成＞
図１の受信機３の装置構成について図３を参照しつつ説明する。図３は図１の受信機３の装置構成図である。
【００４２】
受信機３は、アンテナ１１と高周波アナログ部１２と信号検出部１３と復調部１４と誤り検出部１５とを備える。アンテナ１１によって受信された高周波信号（以下、ＲＦ信号と言う。）Ｓ１１が高周波アナログ部１２に入力される。
高周波アナログ部１２は、アンテナ１１から入力されるＲＦ信号Ｓ１１をダウンコンバートし、この結果得られるベースバンド信号（以下、ＢＢ信号と言う。）Ｓ１２を信号検出部１３及び復調部１４の夫々へ出力する。
【００４３】
信号検出部１３は、高周波アナログ部１２から入力されるＢＢ信号Ｓ１２と参照信号との相関値を順次求め、求めた相関値に基づいてパケット信号の到来の検出及びシンボルタイミングの推定などを行う。そして、信号検出部１３は、推定したシンボルタイミングを示すシンボルタイミング信号（以下、ＳＴ信号と言う。）Ｓ１３を復調部１４へ出力する。但し、参照信号は、送信側で所定パターンの信号波形であるシンボルがパケット信号の先頭に付加された時点の当該シンボルと同じ信号波形の既知の信号である。
【００４４】
復調部１４は、信号検出部１３から入力されるＳＴ信号Ｓ１３が示すシンボルタイミングに従って、パケット信号中のＯＦＤＭシンボルを復調する。そして、復調部１４は、復調した復調データＳ１４を後段の処理回路（不図示）及び誤り検出部１５へ出力する。
誤り検出部１５は、復調データの誤り検出を行い、検出結果を示す誤り検出信号を後段の処理回路（不図示）へ出力する。
【００４５】
＜信号検出部の機能構成＞
図３の信号検出部１３の機能構成について図４から図６を参照しつつ説明する。図４は図３の信号検出部１３の機能構成図である。図５は図４の信号検出部１３の各部の動作を説明するための内部信号の一例を示す図である。図６は図４の区間ポジション検出部３４の動作を説明するための図である。
【００４６】
信号検出部１３は、参照信号記憶部３１と相関部３２と区間分割部３３と区間ポジション検出部３４と同期判定部３５とを備える。
参照信号記憶部３１は、予め参照信号を記憶しており、記憶している参照信号を相関部３２へ出力する。但し、参照信号記憶部３１が記憶する参照信号は、送信側でシンボルがパケット信号の先頭に付加された時点の当該シンボルと同じ信号波形の既知の信号である。
【００４７】
相関部３２は、順次、高周波アナログ部１２から入力されるＢＢ信号Ｓ１２と参照信号記憶部３１から入力される参照信号との相関値を求め、求めた相関値を区間分割部３３へ出力する。
具体的には、参照信号記憶部３１と相関部３２とは、参照信号の複素共役をタップ係数とするＦＩＲ（FiniteImpulse Response）フィルタにより構成される。フィルタにＢＢ信号Ｓ１２を通過させることによって、ＢＢ信号Ｓ１２と参照信号との相関値がフィルタから出力される。
【００４８】
図５（ａ）は相関部３２に入力される入力信号の信号波形図の一例であり、入力信号は受信信号がダウンコンバートされて得られたＢＢ信号Ｓ１２である。図５（ａ）に一例を示す入力信号と参照信号との相関値が相関部３２によって順次求められ、図５（ｂ）に一例を示す相関値が相関部３２から出力される。なお、図５（ｂ）及び図５（ｃ）では、各ポジションの相関値の大きさを線の長さで示し、相関値が大きければ線が長く、相関値が小さければ線が短くなるように図示している。
【００４９】
区間分割部３３は、相関部３２の出力を一定時間毎に区切る。一定時間は、シンボルのシンボル時間である。また、一定時間に出力される相関値の数は、例えば１６である。なお、相関部３２の出力を一定時間に区切るための初期タイミングについては特に考慮する必要はなく、初期タイミングは任意のタイミングでよい。
図５（ｂ）に一例を示す相関部３２の出力は、区間分割部３３によって図５（ｃ）に一例を示すようにシンボル時間毎に区切られる。但し、図５（ｃ）において点線で区切る各々の部分が、相関部３２の出力が区間分割部３３によってシンボル時間に区切られて得られる１つの区間に対応する。
【００５０】
区間ポジション検出部３４は、区間分割部３３によってシンボル時間毎に区切られた各々の区間において、区間に属する相関値の中で最大の相関値を検出する。そして、区間ポジション検出部３４は、各々の区間において、検出した最大の相関値の区間内における相対的なポジションを示す第１ポジション情報を同期判定部３５へ出力する。
但し、区間内の各々のポジションにシーケンシャルな番号を付与し、相関値の区間内における相対的なポジションを示す情報として、ポジションに付与した番号を用いる。各々の区間において、区間の最も古くに求められる相関値のポジションから最も新しく求められる相関値のポジションに向かって、例えば、“１”、“２”、“３”、・・・、“１５”、“１６”とポジションに番号を付与する。
【００５１】
図５（ｃ）に一例を示すように相関部３２の出力が区切られた場合、区間ポジション検出部３４は、各々の区間において、区間内における相関値が最大である図５（ｄ）に実線及び点線の何れかの線を図示したポジションを示す第１ポジション情報を同期判定部３５へ出力する。
さらに、図６を参照して区間ポジション検出部３４の処理内容を説明する。但し、図６では、説明を簡単にするために、一つの区間に属する相関値の数を５つにしている。なお、図６（ａ）では、各ポジションの相関値の大きさを線の長さで示し、相関値が大きければ線が長く、相関値が小さければ線が短くなるように図示している。
【００５２】
図６（ａ）に一例を示すように、相関部３２の出力が区間分割部３３によってシンボル時間毎に区切られた場合、各々の区間に関して、図６（ｂ）において線を図示したポジションを示す第１ポジション情報が、区間ポジション検出部３４から同期判定部３５へ出力される。
例えば、区間Ｒ５では、ポジション“４”の相関値が最も大きいので、ポジション“４”を示す第１ポジション情報が区間ポジション検出部３４から同期判定部３５へ出力される。
【００５３】
同期判定部３５は、区間ポジション検出部３４から入力される各々の区間の第１ポジション情報に基づいて、パケット信号の到来の検出を行う。
同期判定部３５は、第１ポジション情報が示すポジションが連続する所定の連続区間数（本実施の形態では、４）以上の区間において同じである場合に、パケット信号が到来したと判断する。そして、同期判定部３５は、パケット信号が到来していると判断した場合、第１ポジション情報に基づいてシンボルタイミングの推定を行い、推定したシンボルタイミングを示すＳＴ信号Ｓ１３を復調部１４へ出力する。
【００５４】
なお、所定の連続区間数が大きい場合にはパケット信号の到来の見落としの可能性が高くなり、所定の連続区間数が小さい場合にはパケット信号の誤検出の可能性が高くなる。これを踏まえ、シンボルの繰り返し回数を考慮して、所定の連続区間数を決めればよい。
＜復調部の機能構成＞
図３の復調部１４の機能構成について図７を参照しつつ説明する。図７は図３の復調部１４の機能構成図である。
【００５５】
復調部１４は、ＦＦＴ部４１と伝送路推定部４２と伝送路歪み補償部４３とデマッピング部４４とを備える。信号検出部１３から出力されるＳＴ信号Ｓ１３は、ＦＦＴ部４１、伝送路推定部４２、伝送路歪み補償部４３及びデマッピング部４４の夫々に入力される。
ＦＦＴ部４１は、時間領域のパケット信号中のＯＦＤＭシンボルにＦＦＴ（Fast FourierTransform）処理を施し、周波数領域の信号に変換する。但し、パケット信号５の伝送路推定用トレーニング信号６は複数のＯＦＤＭシンボルで構成されることから、伝送路推定用トレーニング信号６もＦＦＴ部４１の処理対象である。
【００５６】
伝送路推定部４２は、ＦＦＴ部４１によって周波数領域の信号に変換された伝送路推定用トレーニング信号６に基づいて伝送路推定を行う。
伝送路歪み補償部４３は、伝送路推定部４２による伝送路推定結果に基づいて、ＦＦＴ部４１によって周波数領域の信号に変換されたＯＦＤＭシンボル８，９の伝送路での歪みを補償する。
【００５７】
デマッピング部４４は、伝送路歪み補償部４３による伝送路歪み補償後の周波数領域の信号中の各々のサブキャリア信号に対してデマッピング処理を施し、復調データＳ１４を後段の処理回路（不図示）及び誤り検出部１５の夫々へ出力する。
＜信号検出部の信号検出動作＞
図４の信号検出部１３による信号検出処理について図８を参照しつつ説明する。図８は図４の信号検出部１３による信号検出処理の処理手順を示すフローチャートである。
【００５８】
同期判定部３５は、変数ｎの値を“０”にセットする（ステップＳ１０１）。
相関部３２は、高周波アナログ部１２から入力されるＢＢ信号Ｓ１２と参照信号記憶部３１に記憶されている参照信号との相関値を求め、区間分割部３３へ求めた相関値を出力する（ステップＳ１０２）。
区間分割部３３は、相関部３２の出力をシンボル時間に区切る（ステップＳ１０３）。
【００５９】
区間ポジション検出部３４は、区間分割部３３により相関部３２の出力がシンボル時間に区切られると、区切られた区間に属する相関値の中から最大の相関値を検出する。そして、区間ポジション検出部３４は、検出した最大の相関値の区間内における相対的なポジションを示す第１ポジション情報を同期判定部３５へ出力する（ステップＳ１０４）。
同期判定部３５は、最新の区間に関する第１ポジション情報が示すポジションと直前の区間に関する第１ポジション情報が示すポジションとが同じであるかを判定する（ステップＳ１０５）。
【００６０】
両者の区間の第１ポジション情報が示すポジションが同じであれば（ステップＳ１０５：ＹＥＳ）、同期判定部３５は変数ｎの値を１増加させ（ステップＳ１０６）、ステップＳ１０２以降の処理が行われる。
両者の区間の第１ポジション情報が示すポジションが異なれば（ステップＳ１０５：ＮＯ）、同期判定部３５は変数ｎの値が連続区間数“４”以上であるかを判定する（ステップＳ１０７）。
【００６１】
変数ｎの値が連続区間数“４”未満であれば（ステップＳ１０７：ＮＯ）、同期判定部３５は変数ｎに０をセットし（ステップＳ１０８）、ステップＳ１０２以降の処理が行われる。
変数ｎの値が連続区間数“４”以上であれば（ステップＳ１０７：ＹＥＳ）、同期判定部３５はパケット信号が到来していると判断する。つまり、同期判定部３５はパケット信号の到来を検出する（ステップＳ１０９）。
【００６２】
≪第２の実施の形態≫
以下、本発明の第２の実施の形態について図面を参照しつつ説明する。
第１の実施の形態は、パケット信号の到来の検出に、区間分割部３３により時間分割された区間内の最大の相関値のポジションを利用する。
これに対して、本実施の形態は、パケット信号の到来の検出に、区間分割部３３により時間分割された区間内の閾値より大きい相関値のポジションを利用する。
【００６３】
＜信号検出部の機能構成＞
本実施の形態の信号検出部１３ａの機能構成について図９から図１１を参照しつつ説明する。図９は本実施の形態の信号検出部１３ａの機能構成図である。図１０は図９の信号検出部１３ａの各部の動作を説明するための内部信号の一例を示す図である。図１１は図９の区間ポジション検出部の動作を説明するための図である。
【００６４】
但し、本実施の形態において、第１の実施の形態と同じ機能を有する構成要素には同じ符号を付し、第１の実施の形態の説明が適用できるために、本実施の形態ではその説明を省略する。
信号検出部１３ａは、参照信号記憶部３１と相関部３２と区間分割部３３と区間平均値演算部５１と区間閾値演算部５２と区間ポジション検出部３４ａと同期判定部３５ａとを備える。なお、相関部３２の入力信号の一例、相関部３２から出力される相関値の一例、及び区間分割部３３の区間分割の一例を、図１０（ａ）、図１０（ｂ）、図１０（ｃ）に示す。なお、図１０（ｂ）及び図１０（ｃ）では、各ポジションの相関値の大きさを線の長さで示し、相関値が大きければ線が長く、相関値が小さければ線が短くなるように図示している。
【００６５】
区間平均値演算部５１は、区間分割部３３により区切られた各々の区間において、区間に属する相関値の平均値を算出する。
区間閾値演算部５２は、区間分割部３３により区切られた各々の区間において、区間平均値演算部５１により算出された区間の平均値に対して固定の係数を乗算して閾値を算出する。そして、区間閾値演算部５２は、各々の区間に関して算出した閾値を区間ポジション検出部３４ａに設定する。区間閾値演算部５２により算出された各々の閾値は、例えば、図１０（ｃ）の一点鎖線に示すようになる。なお、固定の係数は、例えば実機検証によって定めることができる。
【００６６】
区間ポジション検出部３４ａは、区間分割部３３によってシンボル時間毎に区切られた各々の区間において、区間に属する相関値の各々と当該区間の閾値とを比較し、閾値を超える相関値を検出する。そして、区間ポジション検出部３４ａは、各々の区間において、検出した閾値を超える各々の相関値の区間内における相対的なポジションを示す第２ポジション情報を同期判定部３５ａへ出力する。
【００６７】
図１０（ｃ）に一例を示すように相関部３２の出力が区切られ、閾値が設定された場合、区間ポジション検出部３４ａは、各々の区間において、区間内における相関値が閾値を越える図１０（ｄ）に線を図示したポジションを示す第２ポジション情報を同期判定部３５ａへ出力する。
さらに、図１１を参照して区間ポジション検出部３４ａの処理内容を説明する。但し、図１１では、説明を簡単にするために、一つの区間に属する相関値の数を５つにしている。なお、図１１（ａ）では、各ポジションの相関値の大きさを線の長さで示し、相関値が大きければ線が長く、相関値が小さければ線が短くなるように図示している。
【００６８】
図１１（ａ）に一例を示すように、相関部３２の出力が区間分割部３３によってシンボル時間毎に区切られ、区間閾値演算部５２によって閾値が設定された場合、各々の区間に関して、図１１（ｂ）において線を図示したポジションを示す第２ポジション情報が、区間ポジション検出部３４ａから同期判定部３５ａへ出力される。
例えば、区間Ｒ５では、ポジション“２”、“４”の相関値が閾値を超えているので、ポジション“２”、“４”を示す第２ポジション情報が区間ポジション検出部３４ａから同期判定部３５ａへ出力される。
【００６９】
図１１（ｂ）において、仮にポジション“４”がシンボルの到来タイミングに相当するポジションであるとすると、区間Ｒ６ではポジション“１”の相関値がポジション“４”の相関値より大きい。しかしながら、区間ポジション検出部３４ａが同期判定部３５ａへ出力する第２ポジション情報は、ポジション“１”とともにポジション“４”を示す。これにより、同期判定部３５ａは、シンボルの到来タイミングに相当する区間Ｒ６のポジション“４”をパケット信号の到来の検出に用いることができる。
【００７０】
同期判定部３５ａは、区間ポジション検出部３４ａから入力される各々の区間の第１ポジション情報に基づいて、パケット信号の到来の検出を行う。
同期判定部３５ａは、第２ポジション情報が示す何れかのポジションが連続する所定の連続区間数（本実施の形態では、４）以上の区間において同じである場合に、パケット信号が到来していると判断する。同期判定部３５ａは、パケット信号が到来していると判断した場合、第２ポジション情報に基づいてシンボルタイミングの推定を行い、推定したシンボルタイミングを示すＳＴ信号Ｓ１３を復調部１４へ出力する。
【００７１】
＜信号検出部の信号検出動作＞
図９の信号検出部１３ａによる信号検出処理について図１２を参照しつつ説明する。図１２は図９の信号検出部１３ａによる信号検出処理の処理手順を示すフローチャートである。
同期判定部３５ａは、全ての変数ｎｉ（ｉ＝１，２，・・・）に０をセットする（ステップＳ１５１）。但し、変数ｎｉはポジション毎に用意される。
【００７２】
相関部３２は、高周波アナログ部１２から入力されるＢＢ信号Ｓ１２と参照信号記憶部３１に記憶されている参照信号との相関値を求め、区間分割部３３へ求めた相関値を出力する（ステップＳ１５２）。
区間分割部３３は、相関値３２の出力をシンボル時間に区切る（ステップＳ１５３）。
区間平均値演算部５１は、区間分割部３３により相関部３２の出力がシンボル時間に区切られると、区間に属する相関値の平均値を算出する（ステップＳ１５４）。そして、区間閾値演算部５２は算出された区間の平均値に固定の係数を乗算して閾値を算出し、算出した閾値を区間ポジション検出部３４ａに設定する（ステップＳ１５５）。
【００７３】
区間ポジション検出部３４ａは、区間に属する各々の相関値と設定された閾値とを比較し、閾値を超える相関値を検出する。そして、区間ポジション検出部３４ａは、検出した閾値を超える各々の相関値の区間内における相対的なポジションを示す第２ポジション情報を同期判定部３５ａへ出力する（ステップＳ１５６）。
同期判定部３５ａは、最新の区間に関する第２ポジション情報が示すポジションの何れかが、直前の区間に関する第２ポジション情報が示すポジションの何れかと一致するかを判定する（ステップＳ１５７）。
【００７４】
一致するものがあれば（ステップＳ１５７：ＹＥＳ）、同期判定部３５ａは最新の区間に関する第２ポジション情報が示すポジション（相関値が閾値を超えるポジション）の夫々に対応する変数ｎｉの値を１増加させる。さらに、同期判定部３５ａはそれ以外の変数ｎｉの値を０にリセットする（ステップＳ１５８）。そして、ステップＳ１５２以降の処理が行われる。
【００７５】
一致するものがなければ（ステップＳ１５７：ＮＯ）、同期判定部３５ａは連続区間数“４”以上の値の変数ｎｉがあるかを判定する（ステップＳ１５９）。
連続区間数“４”以上の値の変数ｎｉがなければ（ステップＳ１５９：ＮＯ）、同期判定部３５ａは全ての変数ｎｉ（ｉ＝１，２，・・・）に０をセットし（ステップＳ１６０）、ステップＳ１５２以降の処理が行われる。
【００７６】
連続区間数“４”以上の値の変数ｎｉがあれば（ステップＳ１５９：ＹＥＳ）、同期判定部３５ａはパケット信号が到来していると判断する。つまり、同期判定部３５ａはパケット信号の到来を検出する（ステップＳ１６１）。
≪第３の実施の形態≫
以下、本発明の第３の実施の形態について図面を参照しつつ説明する。
【００７７】
第１の実施の形態は、区間内における最大の相関値が連続する所定の連続区間数の区間でポジションが同じ場合にパケット信号が到来していると判断する。
これに対して、本実施の形態は、連続する所定の積算区間数の区間の同じポジションの相関値を積算する。そして、積算区間数の区間において、区間内における最大の相関値のポジションが最大の積算値のポジションと一致する区間が所定の閾値区間数以上存在する場合に、パケット信号が到来していると判断する。
【００７８】
＜信号検出部の機能構成＞
本実施の形態の信号検出部１３ｂの機能構成について図１３を参照しつつ説明する。図１３は本実施の形態の信号検出部１３ｂの機能構成図である。但し、本実施の形態において、上記の実施の形態と同じ機能を有する構成要素には同じ符号を付し、上記の実施の形態の説明が適用できるため、本実施の形態ではその説明を省略する。
【００７９】
信号検出部１３ｂは、参照信号記憶部３１と相関部３２と区間分割部３３と区間ポジション検出部３４と相関値積算部５６と最大ポジション検出部５７と同期判定部３５ｂとを備える。
相関値積算部５６は、相対的なポジションの各々について、連続する所定の積算区間数分の区間にわって相関値を積算し、各々のポジションの積算値を最大ポジション検出部５７へ出力する。本実施の形態では、積算区間数を、ＩＥＥＥ８０２．１１ａの規格で定められたシンボルの繰り返し回数と同じ１０とする。
【００８０】
最大ポジション検出部５７は、相関値積算部５６から入力される積算値の中から最大の積算値を検出し、検出した最大の積算値の相対的なポジションを示す最大ポジション情報を同期判定部３５ｂへ出力する。
さらに、相関値積算部５６及び最大ポジション検出部５７の機能について図１４を用いて説明する。図１４は図１３の相関値積算部５６及び最大ポジション検出部５７の機能を説明するための図である。但し、説明を簡単にするため、区間のポジションの数を５、相関値を積算する区間の数を３にしている。
【００８１】
なお、図１４（ａ）では、各ポジションの相関値の大きさを線の長さで示し、相関値が大きければ線が長く、相関値が小さければ線が短くなるように図示している。図１４（ｂ）では、各ポジションの積算値の大きさを線の長さで示し、積算値が大きければ線が長く、積算値が小さければ線が短くなるように図示している。
以下の記述では、区間Ｒｉ（ｉ＝１，２，３）のポジションｊ（ｊ＝１，２，３，４，５）の相関値をＶｉｊで表す。
【００８２】
相関値積算部５６は、区間Ｒ１のポジション“１”の相関値Ｖ１１と、区間Ｒ２のポジション“１”の相関値Ｖ２１と区間Ｒ３のポジション“１”の相関値Ｖ３１とを加算する。このようにして、相関値積算部５６は、ポジション“１”の積算値ＶＴ１（＝Ｖ１１＋Ｖ２１＋Ｖ３１）を算出する。
さらに、相関値積算部５６は、同様の処理を行って、他のポジションｊ（ｊ＝２，３，４，５）の相関値ＶＴｊ（ｊ＝２，３，４，５）を算出する。
【００８３】
区間Ｒ１，Ｒ２，Ｒ３の各々のポジションの相関値が図１４（ａ）に示す場合、各々のポジションの相関値の積算値は図１４（ｂ）に示すようになる。
最大ポジション検出部５７は、図１４（ｂ）の場合、ポジション“４”の積算値が最大であるので、ポジション“４”を示す最大ポジション情報を同期判定部３５ｂへ出力する。
【００８４】
同期判定部３５ｂは、区間ポジション検出部３４から入力される各々の区間の第１ポジション情報と最大ポジション検出部５７から入力される最大ポジション情報とに基づいて、パケット信号の到来の検出を行う。
同期判定部３５ｂは、区間ポジション検出部３４から入力される第１ポジション情報が示すポジションと最大ポジション検出部５７から入力される最大ポジション情報が示すポジションとを比較する。同期判定部３５ｂは、比較の結果、連続する積算区間数“１０”の区間において、両者のポジションが一致する区間が所定の閾値区間数（本実施の形態では、７）以上存在する場合にパケット信号が到来したと判断する。そして、同期判定部３５ｂは、パケット信号が到来していると判断した場合、第１ポジション情報に基づいてシンボルタイミングの推定を行い、推定したシンボルタイミングを示すＳＴ信号Ｓ１３を復調部１４へ出力する。
【００８５】
＜信号検出部の信号検出動作＞
図１３の信号検出部１３ｂによる信号検出処理について図１５を参照しつつ説明する。図１５は図１３の信号検出部１３ｂによる信号検出処理の処理手順を示すフローチャートである。
信号検出部１３ｂは、図８のステップＳ１０２からステップＳ１０４と実質的に同じ処理を行う（ステップＳ２０１からステップＳ２０３）。
【００８６】
相関値積算部５６は、ポジション毎に、連続する積算区間数“１０”の区間にわたって同じポジションの相関値を積算し、積算結果を最大ポジション検出部５７へ出力する（ステップＳ２０４）。続いて、最大ポジション検出部５７は、相関値積算部５６によって求められた積算値の中から最大の積算値を検出し、検出した最大のポジションを示す最大ポジション情報を同期判定部３５ｂへ出力する（ステップＳ２０５）。
【００８７】
同期判定部３５ｂは、各々の区間において、区間ポジション検出部３４から入力される第１ポジション情報が示すポジションと最大ポジション検出部５７から入力される最大ポジション情報が示すポジションとを比較する。同期判定部３５ｂは、比較の結果、連続する積算区間数“１０”の区間において、両者のポジションが一致する区間が所定の閾値区間数“７”以上存在するかを判定する（ステップＳ２０６）。
【００８８】
両者のポジションが一致する区間が閾値区間数“７”以上存在しなければ（ステップＳ２０６：ＮＯ）、ステップＳ２０１以降の処理が行われる。
両者のポジションが一致する区間が閾値区間数“７”以上存在すれば（ステップＳ２０６：ＹＥＳ）、同期判定部３５ｂはパケット信号が到来していると判断する。つまり、同期判定部３５ｂはパケット信号の到来を検出する（ステップＳ２０７）。
【００８９】
≪第４の実施の形態≫
以下、本発明の第４の実施の形態について図面を参照しつつ説明する。
第２の実施の形態は、区間内における閾値を越える相関値が連続する所定の連続区間数の区間で同じポジションにある場合にパケット信号が到来していると判断する。
これに対して、本実施の形態は、連続する所定の積算区間数の区間の同じポジションの相関値を積算する。そして、積算区間数の区間において、区間内における閾値を越える相関値のポジションの何れかが最大の積算値のポジションと一致する区間が所定の閾値区間数以上存在する場合に、パケット信号が到来していると判断する。
【００９０】
＜信号検出部の機能構成＞
本実施の形態の信号検出部１３ｃの機能構成について図１６を参照しつつ説明する。図１６は本実施の形態の信号検出部１３ｃの機能構成図である。但し、本実施の形態において、上記の実施の形態と同じ機能を有する構成要素には同じ符号を付し、上記の実施の形態の説明が適用できるため、本実施の形態ではその説明を省略する。
【００９１】
信号検出部１３ｃは、参照信号記憶部３１と相関部３２と区間分割部３３と区間平均値演算部５１と区間閾値演算部５２と区間ポジション検出部３４ａと相関値積算部５６と最大ポジション検出部５７と同期判定部３５ｃとを備える。
同期判定部３５ｃには、第２の実施の形態と実質的に同じ処理が信号検出部１３ｃに入力されるＢＢ信号Ｓ１２に対して行われて、区間ポジション検出部３４ａから各々の区間の第２ポジション情報が入力される。
【００９２】
また、同期判定部３５ｃには、第３の実施の形態と実質的に同じ処理が信号検出部１３ｃに入力されるＢＢ信号Ｓ１２に対して行われて、最大ポジション検出部５７から最大ポジション情報が入力される。
同期判定部３５ｃは、区間ポジション検出部３４ａから入力される各々の区間の第２ポジション情報と最大ポジション検出部５７から入力される最大ポジション情報とに基づいて、パケット信号の到来の検出を行う。
【００９３】
同期判定部３５ｃは、区間ポジション検出部３４ａから入力される第２ポジション情報が示す各々のポジションと最大ポジション検出部５７から入力される最大ポジション情報が示すポジションとを比較する。同期判定部３５ｃは、比較の結果、連続する積算区間数（本実施の形態では、１０）の区間において、第２ポジション情報が示すポジションの何れかが最大ポジション情報が示すポジションと一致する区間が所定の閾値区間数（本実施の形態では、７）以上存在する場合にパケット信号が到来したと判断する。そして、同期判定部３５ｃは、パケット信号が到来していると判断した場合、第２ポジション情報に基づいてシンボルタイミングの推定を行い、推定したシンボルタイミングを示すＳＴ信号Ｓ１３を復調部１４へ出力する。
【００９４】
≪第５の実施の形態≫
以下、本発明の第５の実施の形態について図面を参照しつつ説明する。
但し、本実施の形態は、相関値の算出に用いる参照信号を、受信したパケット信号の同期用トレーニングシンボルを利用して更新する機能を備える。
なお、第５の実施の形態、及び、後述する実施の形態では、参照信号が送信側でシンボルがパケットの先頭に付加された時点の当該シンボルの信号波形と同じ既知の信号である場合、適宜、参照信号を初期参照信号と言う。
【００９５】
＜信号検出部の機能構成＞
本実施の形態の信号検出部１３ｄの機能構成について図１７を参照しつつ説明する。図１７は本実施の形態の信号検出部１３ｄの機能構成図である。但し、本実施の形態において、上記の実施の形態と同じ機能を有する構成要素には同じ符号を付し、上記の実施の形態の説明が適用できるため、本実施の形態ではその説明を省略する。
【００９６】
信号検出部１３ｄは、参照信号記憶部３１と相関部３２とポジション検出部３４ｄと同期判定部３５ｄと参照信号演算部６１とを備える。なお、例えば、電源投入時に参照信号記憶部３１に記憶される参照信号は初期参照信号である。
ポジション検出部３４ｄは、相関部３２から入力される各々の相関値を所定の閾値と比較する。そして、比較の結果、ポジション検出部３４ｄは、所定の閾値より大きい相関値を検出し、検出した相関値の時間軸上の相対的なポジションを示す第３ポジション情報を同期判定部３５ｄへ出力する。
【００９７】
同期判定部３５ｄは、ポジション検出部３４ｄから入力される第３ポジション情報に基づいて、閾値を超える隣り合う相関値のポジションの間隔が所定の閾値間隔数（本実施の形態では、３）連続してシンボルのシンボル時間と同じ場合に、パケット信号が到来していると判断する。そして、同期判定部３５ｄは、第３ポジション情報に基づいてシンボルタイミングの推定を行い、推定したシンボルタイミングを示すＳＴ信号Ｓ１３を復調部１４及び参照信号演算部６１の夫々へ出力する。
【００９８】
参照信号演算部６１は、ＳＴ信号Ｓ１３の入力を受けて、高周波アナログ部１２から入力されるＢＢ信号Ｓ１２に含まれる同期用トレーニング信号に基づいて新たな参照信号を求める。そして、参照信号演算部６１は、参照信号記憶部３１に記憶されている参照信号を新たな参照信号に更新する。
なお、閾値を超える相関値の検出を参照信号演算部６１が新たな参照信号を求める契機の発生とする場合、相関値が閾値を１回でも超えれば新たな参照信号を求める契機が発生することになる。このため、新たな参照信号を求める契機の発生が干渉信号の影響やノイズの影響などを受けやすくなり、新たな参照信号が同期用トレーニング信号以外の部分で誤って求められる可能性が高い。
【００９９】
これに対して、ＳＴ信号Ｓ１３の入力、つまり、パケット信号が到来したと判断されたことを、参照信号演算部６１が新たな参照信号を求める契機の発生とする場合、相関値がシンボル時間毎に複数回閾値を越えなければ新たな参照信号が求める契機が発生しない。このため、新たな参照信号を求める契機の発生が干渉信号の影響やノイズの影響などを受けにくく、新たな参照信号が同期用トレーニング信号以外の部分で誤って求められる可能性が低い。
【０１００】
参照信号演算部６１は、最新に受信したパケット信号の同期用トレーニング信号の最後尾のシンボルを新たな参照信号とする。ここで、本実施の形態における受信したパケット信号とは、同期判定部３５ｄによってパケット信号の到来が検出されたパケット信号である。
なお、パケット信号の先頭から数個のシンボルの期間はＡＧＣの引き込みのために信号が歪んでいる可能性が高い。これに対して、ＡＧＣ収束後の最後尾のシンボルはＡＧＣの引き込みによる歪みが無く、より伝送路特性などを反映した信号になっている。
【０１０１】
また、参照信号演算部６１がＳＴ信号Ｓ１３の入力を受けてＢＢ信号Ｓ１２から同期用トレーニング信号の最後尾のシンボルを抽出できるようにするために、簡単なタイミング制御回路（不図示）を設ければよい。このため、乗算器を必要とせず、回路規模の増大を抑制することが可能になる。
＜信号検出部の信号検出動作＞
図１７の信号検出部１３ｄによる信号検出処理について図１８を参照しつつ説明する。図１８は図１７の信号検出部１３ｄによる信号検出処理の処理手順を示すフローチャートである。
【０１０２】
相関部３２は、高周波アナログ部１２から入力されるＢＢ信号Ｓ１２と参照信号記憶部３１に記憶されている参照信号との相関値を求める（ステップＳ２５１）。
ポジション検出部３４ｄは、相関部３２から出力される相関値の中から、所定の閾値を超える相関値を検出し、検出した相関値の時間軸上のポジションを示す第３ポジション情報を同期判定部３５ｄへ出力する（ステップＳ２５２）。
【０１０３】
同期判定部３５ｄは、ポジション検出部３４ｄから入力される第３ポジション情報に基づいてパケット信号の到来の検出を行う（ステップＳ２５３）。
パケット信号が到来していることを検出できなかった場合（ステップＳ２５３：ＮＯ）、ステップＳ２５１の処理に戻る。
パケット信号が到来していることを検出できた場合（ステップＳ２５３：ＹＥＳ）、参照信号演算部６１は、受信したパケット信号の同期用トレーニング信号を利用して新たな参照信号を求め、参照信号記憶部３１の記憶内容を求めた新たな参照信号に更新する（ステップＳ２５４）。この処理により、次のパケット信号の到来の検出には、受信したパケット信号の同期用トレーニング信号を基に求められた新たな参照信号が用いられることになる。
【０１０４】
≪第６の実施の形態≫
以下、本発明の第６の実施の形態について図面を参照しつつ説明する。
但し、本実施の形態は、相関値の算出に用いる参照信号を、受信したパケット信号の同期用トレーニングシンボルを利用して更新するとともに、所定のリセット条件に基づいて初期参照信号に戻す機能を備える。
【０１０５】
＜受信機の装置構成＞
本実施の形態の受信機３ｅの装置構成について図１９を参照しつつ説明する。図１９は本実施の形態の受信機３ｅの装置構成図である。但し、本実施の形態において、上記の実施の形態と同じ機能を有する構成要素には同じ符号を付し、上記の実施の形態の説明が適用できるため、本実施の形態ではその説明を省略する。
【０１０６】
受信機３ｅは、アンテナ１１と高周波アナログ部１２と信号検出部１３ｅ（詳細は図２０を用いて後述）と復調部１４と誤り検出部１５ｅとを備える。
誤り検出部１５ｅは、復調データの誤り検出を行い、検出結果を示す誤り検出信号Ｓ１５を後段の処理回路（不図示）へ出力するとともに、信号検出部１３ｅへ出力する。
＜信号検出部の機能構成＞
本実施の形態の信号検出部１３ｅの機能構成について図２０を参照しつつ説明する。図２０は信号検出部１３ｅの機能構成図である。但し、本実施の形態において、上記の実施の形態と同じ機能を有する構成要素には同じ符号を付し、上記の実施の形態の説明が適用できるため、本実施の形態ではその説明を省略する。
【０１０７】
信号検出部１３ｅは、参照信号記憶部３１と相関部３２とポジション検出部３４ｄと同期判定部３５ｄと参照信号演算部６１ｅと参照信号リセット部６６とを備える。なお、例えば、電源投入時に参照信号記憶部３１に記憶される参照信号は、初期参照信号である。
参照信号演算部６１ｅは、ＳＴ信号Ｓ１３の入力を受け、さらに、パケット信号全体に誤りがなかったことを示す誤り検出信号Ｓ１５の入力を受け、入力されるＢＢ信号Ｓ１２中のパケット信号に含まれる同期用トレーニング信号に基づいて新たな参照信号を求める。つまり、参照信号演算部６１ｅは、同期判定部３５ｄによって到来が検出されたパケット信号であって、誤り検出部１５ｅによって全体に誤りが検出されなかったパケット信号に基づいて、それに含まれる同期用トレーニング信号から新たな参照信号を求める。参照信号演算部６１ｅは、参照信号記憶部６１ｅの記憶内容を求めた新たな参照信号に更新する。
【０１０８】
なお、到来が検出されたパケット信号であって、全体に誤りが検出されなかったパケット信号を新たな参照信号の算出に用いることにより、到来が検出されたパケット信号を新たな参照信号の算出に用いる場合に比べ、同期用トレーニング信号以外の部分で新たな参照信号が算出される可能性が低くなる。
参照信号演算部６１ｅの処理の一具体的例を示す。
【０１０９】
参照信号演算部６１ｅは、ＳＴ信号Ｓ１３の入力を受け、ＢＢ信号Ｓ１２の同期用トレーニング信号を一時的に保存する。
参照信号演算部６１ｅは、誤り検出部１５ｅからパケット信号全体に誤りがなかったことを示す誤り検出信号Ｓ１５の入力を受けて、一時的に保存しておいた同期用トレーニング信号を用いて新たな参照信号を求める。参照信号演算部６１ｅは、参照信号記憶部３１の記憶内容を求めた新たな参照信号に更新する。なお、参照信号保持部６１ｅは、誤り検出部１５ｅからパケット信号に誤りがあったことを示す誤り検出信号Ｓ１５の入力を受けて、一時的に保存しておいた同期用トレーニング信号を破棄する。
【０１１０】
参照信号リセット部６６は、参照信号記憶部３１に記憶されている参照信号を所定のリセット条件に基づいて初期参照信号に更新する。
リセット条件は、参照信号リセット部６６に入力される誤り検出信号Ｓ１５が所定の誤り回数（本実施の形態では、３回）連続してパケット信号に誤りがあったことを示すことである。
【０１１１】
なお、例えば、参照信号演算部６１ｅによって同期用トレーニング信号以外の受信信号の部分に基づいて参照信号が更新された場合、伝送路状態が急激に変化して参照信号演算部６１ｅによって求められた新たな参照信号が現在の伝送路特性を反映しなくなる場合がある。このような場合に、参照信号演算部６１ｅによって求められた新たな参照信号をパケット信号の到来の検出に継続して用いれば、パケット信号の到来の検出能力が低下する。しかしながら、リセット条件に基づいて参照信号記憶部３１に記憶されている参照信号を初期参照信号に更新することによって、パケット信号の到来の検出能力が低下する状況が継続することを回避できる。
【０１１２】
＜受信機の受信処理動作＞
図１９の受信機３ｅによる受信処理について図２１を参照しつつ説明する。図２１は図１９の受信機３ｅによる受信処理の処理手順を示すフローチャートである。
受信機３ｅの信号検出部１３ｅは、図１８のステップＳ２５１からステップＳ２５３と実質的に同じ処理を行う（ステップＳ３０１からステップＳ３０３）。
【０１１３】
パケット信号の到来を検出できた場合（ステップＳ３０３：ＹＥＳ）、参照信号演算部６１ｅは、同期用トレーニング信号を一時保存する（ステップＳ３０４）。
復調部１４はパケット信号の復調を行い（ステップＳ３０５）、誤り検出部１５ｅは復調されたパケット信号の誤りの検出を行う（ステップＳ３０６）。
復調されたパケット信号の誤りが検出されなければ（ステップＳ３０６：ＹＥＳ）、参照信号演算部６１ｅは、一時保存した同期用トレーニング信号を利用して新たな参照信号を求め、参照信号記憶部３１の保持内容を求めた新たな参照信号に更新する（ステップＳ３０７）。
【０１１４】
復調されたパケット信号の誤りが検出されれば（ステップＳ３０６：ＮＯ）、参照信号演算部６１ｅは、一時保存した同期用トレーニング信号を破棄する（ステップＳ３０８）。
＜参照信号リセット部のリセット処理動作＞
図２０の参照信号リセット部６６による参照信号のリセット処理について図２２を参照しつつ説明する。図２２は図２０の参照信号リセット部６６による参照信号のリセット処理の処理手順を示すフローチャートである。
【０１１５】
参照信号リセット部６６は、変数ｍの値を０にセットする（ステップＳ３５１）。
参照信号リセット部６６は、誤り検出部１５ｅから入力される誤り検出信号Ｓ１５に基づいて、パケット信号に誤りがあったかを判断する（ステップＳ３５２）。
パケット信号に誤りがなかった場合（ステップＳ３５２：ＮＯ）、ステップＳ３５１の処理へ戻り、参照信号リセット部６６は変数ｍの値を０にし、ステップＳ３５２以降の処理が行われる。
【０１１６】
パケット信号に誤りがあった場合（ステップＳ３５２：ＹＥＳ）、参照信号リセット部６６は、変数ｍの値に１を加算する（ステップＳ３５３）。
参照信号リセット部６６は、変数ｍの値が誤り回数“３”以上であるかを判定する（ステップＳ３５４）。変数ｍの値が誤り回数“３”未満であれば（ステップＳ３５４：ＮＯ）、ステップＳ３５２以降の処理が行われる。
【０１１７】
変数ｍの値が誤り回数“３”以上であれば（ステップＳ３５４：ＹＥＳ）、参照信号リセット部６６は、参照信号記憶部３１の記憶内容を初期参照信号に更新する（ステップＳ３５５）。
≪第７の実施の形態≫
以下、本発明の第７の実施の形態について図面を参照しつつ説明する。
【０１１８】
上記の実施の形態は、パケット信号の検出処理及びシンボルタイミングの推定処理を１つの経路で行う。
これに対して、本実施の形態は、パケット信号の検出処理及びシンボルタイミングの推定処理を２つの経路で行う。
＜信号検出部の機能構成＞
本実施の形態の信号検出部１３ｆの機能構成について図２３を参照しつつ説明する。図２３は本実施の形態の信号検出部１３ｆの機能構成図である。
【０１１９】
信号検出部１３ｆは、第１処理部１１０と第２処理部１３０とシンボルタイミング合成部１５０とを備える。第１処理部１１０と第２処理部１３０とは双方が同時に動作して、パケット信号の到来の検出処理及びシンボルタイミング推定処理を実行する。
第１処理部１１０は、参照信号記憶部１１１と相関部１１２とポジション検出部１１３と同期判定部１１４とを備える。
【０１２０】
第１処理部１１０では、参照信号記憶部１１１が記憶する参照信号が更新されることがなく、相関部１１２はＢＢ信号Ｓ１２と常に同じ参照信号（初期参照信号）との相関値を求める。
ポジション検出部１１３と同期判定部１１４とは、夫々、第５の実施の形態のポジション検出部３４ｄと同期判定部３５ｄと実質的に同じ処理を行う。但し、ポジション検出部１１３は相関部１１２から入力される相関値の最大の値（以下、第１最大相関値という。）をシンボルタイミング合成部１５０へ出力する。また、同期判定部１１４は、推定したシンボルタイミングを示すＳＴ信号Ｓ１３ａを復調部１４へ出力する代わりにシンボルタイミング合成部１５０へ出力する。
【０１２１】
第２処理部１３０は、参照信号記憶部１３１と相関部１３２とポジション検出部１３３と同期判定部１３４と参照信号演算部１３５とを備える。
第２処理部１３０では、参照信号記憶部１３１に記憶される参照信号は参照信号演算部１３５によって更新される。相関部１３２はＢＢ信号Ｓ１２と参照信号記憶部１３１に記憶されている初期参照信号又は更新後の参照信号との相関値を求める。
【０１２２】
ポジション検出部１３３と同期判定部１３４とは、夫々、第５の実施の形態のポジション検出部３４ｄと同期判定部３５ｄと実質的に同じ処理を行う。但し、ポジション検出部１３３は相関部１３２から入力される相関値の最大の値（以下、第２最大相関値という。）をシンボルタイミング合成部１５０へ出力する。また、同期判定部１３４は、推定したシンボルタイミングを示すＳＴ信号Ｓ１３ｂを復調部１４へ出力する代わりにシンボルタイミング合成部１５０へ出力する。
【０１２３】
参照信号演算部１３５は、第６の実施の形態の参照信号演算部６１ｅと実質的に同じ処理を行う。
シンボルタイミング合成部１５０は、同期判定部１１４から入力されるＳＴ信号Ｓ１３ａと同期判定部１３４から入力されるＳＴ信号Ｓ１３ｂとを合成し、復調部１４へ供給するＳＴ信号Ｓ１３を生成する。
【０１２４】
具体的には、シンボルタイミング合成部１５０は、同期判定部１１４と同期判定部１３４との双方でパケット信号の到来が検出され、双方からＳＴ信号Ｓ１３ａ，Ｓ１３ｂが入力された場合、第１最大相関値と第２最大相関値とを比較する。そして、シンボルタイミング合成部１５０は、比較の結果、第１最大相関値が第２最大相関値より大きい場合、ＳＴ信号１３ａ，１３ｂのうちＳＴ信号１３ａを選択し、ＳＴ信号１３ａをＳＴ信号１３として復調部１４へ出力する。また、シンボルタイミング合成部１５０は、比較の結果、第２最大相関値が第１最大相関値以上の場合、ＳＴ信号１３ａ，１３ｂのうちＳＴ信号１３ｂを選択し、ＳＴ信号１３ａをＳＴ信号１３として復調部１４へ出力する。
【０１２５】
なお、シンボルタイミング合成部１５０が上記のような選択を行うようにしたのは次の理由による。
例えば、第１最大相関値が第２最大相関値より大きい場合、第１処理部１１０におけるパケット信号の到来の検出及びシンボルタイミングの推定が、第２処理部１３０におけるパケット信号の到来の検出及びシンボルタイミングの推定より正しい可能性が高いからである。
【０１２６】
シンボルタイミング合成部１５０は、同期判定部１１４のみによってパケット信号の到来が検出され、同期判定部１１４からＳＴ信号１３ａが入力された場合、入力されたＳＴ信号１３ａをＳＴ信号１３として復調部１４へ出力する。
シンボルタイミング合成部１５０は、同期判定部１３４のみによってパケット信号の到来が検出され、同期判定部１３４からＳＴ信号１３ｂが入力された場合、入力されたＳＴ信号１３ｂをＳＴ信号１３として復調部１４へ出力する。
【０１２７】
なお、第１処理部１１０は初期参照信号を利用したパケット信号の到来の検出処理などを行っているため、第２処理部１３０には第６の実施の形態の参照信号リセット部６６に相当する機能ブロックを設けて参照信号を初期参照信号に更新する必要は特にない。
≪第８の実施の形態≫
以下、本発明の第８の実施の形態について図面を参照しつつ説明する。
【０１２８】
本実施の形態は、第１の実施の形態に、第６の実施の形態で説明した参照信号の更新機能及び参照信号のリセット機能を付加したものである。
＜信号検出部の機能構成＞
本実施の形態の信号検出部１３ｇの機能構成について図２４を参照しつつ説明する。図２４は本実施の形態の信号検出部１３ｇの機能構成図である。但し、本実施の形態において、上記の実施の形態と同じ機能を有する構成要素には同じ符号を付し、上記の実施の形態の説明が適用できるため、本実施の形態ではその説明を省略する。
【０１２９】
信号検出部１３ｇは、参照信号記憶部３１と相関部３２と区間分割部３３と区間ポジション検出部３４と同期判定部３５と参照信号演算部６１ｅと参照信号リセット部６６とを備える。
信号検出部１３ｇにＢＢ信号Ｓ１２が入力され、相関部３２によってＢＢ信号Ｓ１２と参照信号記憶部３１に記憶されている参照信号との相関値が順次求められ、相関値が相関部３２から出力される。参照信号記憶部３１に記憶されている参照信号は参照信号演算部６１ｅによって更新され、参照信号リセット部６６によって初期参照信号に更新される。つまり、相関部３２による相関値の算出に用いられる参照信号は第１の実施の形態のように固定ではない。
【０１３０】
相関部３２の出力は区間分割部３３によってシンボルのシンボル時間毎に区切られる。区間ポジション検出部３４によって各々の区間における最大の相関値が検出され、検出された最大の相関値の区間内における相対的なポジションを示す第１ポジション情報が区間ポジション検出部３４から同期判定部３５へ出力される。同期判定部３５は、各々の区間の第１ポジション情報に基づいてパケット信号の到来の検出処理及びシンボルタイミング推定処理などを行って、ＳＴ信号Ｓ１３を復調部１４及び参照信号演算部６１ｅの夫々へ出力する。
【０１３１】
参照信号記憶部３１に記憶される参照信号は、パケット信号の到来が検出され、検出されたパケット信号の誤りが検出されなかった場合に、参照信号演算部６１ｅによってパケット信号の同期用トレーニング信号に基づいて更新される。
また、参照信号記憶部３１に記憶される参照信号は、参照信号リセット部６６によってリセット条件に基づき初期参照信号に更新される。
【０１３２】
≪第９の実施の形態≫
本実施の形態は、第２の実施の形態に、第６の実施の形態で説明した参照信号の更新機能及び参照信号のリセット機能を付加したものである。
＜信号検出部の機能構成＞
本実施の形態の信号検出部１３ｈの機能構成について図２５を参照しつつ説明する。図２５は本実施の形態の信号検出部１３ｈの機能構成図である。但し、本実施の形態において、上記の実施の形態と同じ機能を有する構成要素には同じ符号を付し、上記の実施の形態の説明が適用できるため、本実施の形態ではその説明を省略する。
【０１３３】
信号検出部１３ｈは、参照信号記憶部３１と相関部３２と区間分割部３３と区間平均値演算部５１と区間閾値演算部５２と区間ポジション検出部３４ａと同期判定部３５ａと参照信号演算部６１ｅと参照信号リセット部６６とを備える。
信号検出部１３ｈにＢＢ信号Ｓ１２が入力され、相関部３２によってＢＢ信号Ｓ１２と参照信号記憶部３１に記憶されている参照信号との相関値が順次求められ、相関値が相関部３２から出力される。参照信号記憶部３１に記憶されている参照信号は参照信号演算部６１ｅによって更新され、参照信号リセット部６６によって初期参照信号に更新される。つまり、相関部３２による相関値の算出に用いられる参照信号は第２の実施の形態のように固定ではない。
【０１３４】
相関部３２の出力は区間分割部３３によってシンボルのシンボル時間毎に区切られる。
各々の区間について、区間に属する相関値の平均値が区間平均値演算部５１によって算出され、算出された平均値を利用して各々の区間の閾値が区間閾値演算部５２によって算出される。そして、区間閾値演算部５２は算出した閾値を区間ポジション検出部３４ａに設定する。
【０１３５】
区間ポジション検出部３４ａによって各々の区間の閾値を超える相関値が検出される。そして、検出された閾値を超える各々の相関値の区間内における相対的なポジションを示す第２ポジション情報が区間ポジション検出部３４ａから同期判定部３５ａへ出力される。同期判定部３５ａは、各々の区間の第２ポジション情報に基づいてパケット信号の検出処理及びシンボルタイミング推定処理などを行って、ＳＴ信号Ｓ１３を復調部１４及び参照信号演算部６１ｅの夫々へ出力する。
【０１３６】
参照信号記憶部３１に記憶されている参照信号は、パケット信号の到来が検出され、検出されたパケット信号の誤りが検出されなかった場合に、参照信号演算部６１ｅによってパケット信号の同期用トレーニング信号に基づいて更新される。
また、参照信号記憶部３１に記憶されている参照信号は、参照信号リセット部６６によってリセット条件に基づき初期参照信号に更新される。
【０１３７】
≪第１０の実施の形態≫
以下、本発明の第１０の実施の形態について図面を参照しつつ説明する。
本実施の形態は、パケット信号の検出処理及びシンボルタイミングの推定処理を２つの経路で行う。
＜信号検出部の機能構成＞
本実施の形態の信号検出部１３ｉの機能構成について図２６を参照しつつ説明する。図２６は本実施の形態の信号検出部１３ｉの機能構成図である。但し、本実施の形態において、上記の実施の形態と同じ機能を有する構成要素には同じ符号を付し、上記の実施の形態の説明が適用できるため、本実施の形態ではその説明を省略する。
【０１３８】
信号検出部１３ｉは、第１処理部２１０と第２処理部２３０とシンボルタイミング合成部１５０とを備える。第１処理部２１０と第２処理部２３０とは双方が同時に動作して、パケット信号の到来の検出処理及びシンボルタイミング推定処理を実行する。
第１処理部２１０は、参照信号記憶部２１１と相関部２１２と区間分割部２１３と区間平均値演算部２１４と区間閾値演算部２１５と区間ポジション検出部２１６と同期判定部２１７とを備える。
【０１３９】
第１処理部２１０では、参照信号記憶部２１１が記憶する参照信号が更新されることがなく、相関部２１２はＢＢ信号Ｓ１２と常に同じ参照信号（初期参照信号）との相関値を求める。
区間分割部２１３と区間平均値演算部２１４と区間閾値演算部２１５と区間ポジション検出部２１６と同期判定部２１７とは、夫々、第２の実施の形態の区間分割部３３と区間平均値演算部５１と区間閾値演算部５２と区間ポジション検出部３４ａと同期判定部３５ａと実質的に同じ処理を行う。但し、区間ポジション検出部２１６は相関部２１２によって求められた相関値の最大の値をシンボルタイミング合成部１５０へ出力する。また、同期判定部２１７は、推定したシンボルタイミングを示すＳＴ信号Ｓ１３ａを復調部１４へ出力する代わりにシンボルタイミング合成部１５０へ出力する。
【０１４０】
第２処理部２３０は、参照信号記憶部２３１と相関部２３２と区間分割部２３３と区間平均値演算部２３４と区間閾値演算部２３５と区間ポジション検出部２３６と同期判定部２３７と参照信号演算部２３８とを備える。
第２処理部２３０では、参照信号記憶部２３１に記憶される参照信号は参照信号演算部２３８によって更新される。相関部２３２はＢＢ信号Ｓ１２と参照信号記憶部２３１に記憶されている初期参照信号又は更新後の参照信号との相関値を求める。
【０１４１】
区間分割部２３３と区間平均値演算部２３４と区間閾値演算部２３５と区間ポジション検出部２３６と同期判定部２３７とは、夫々、第２の実施の形態の区間分割部３３と区間平均値演算部５１と区間閾値演算部５２と区間ポジション検出部３４ａと同期判定部３５ａと実質的に同じ処理を行う。但し、区間ポジション検出部２３６は相関部２３２によって求められた相関値の最大の値をシンボルタイミング合成部１５０へ出力する。また、同期判定部２３７は、推定したシンボルタイミングを示すＳＴ信号Ｓ１３ａを復調部１４へ出力する代わりにシンボルタイミング合成部１５０へ出力する。
【０１４２】
参照信号演算部２３８は、第６の実施の形態の参照信号演算部６１ｅと実質的に同じ処理を行う。
≪補足≫
本発明は上記の実施の形態に限られるものではなく、例えば、次のようなものであってもよい。
【０１４３】
（１）上記の実施の形態では変復調方式が無線ＬＡＮで用いられるＯＦＤＭ方式であるとして説明したが、変復調方式はこれに限られるものではない。変復調方式は、例えば、ＱＰＳＫ（Quadrature Phase Shift keying）やＱＡＭ（QuadratureAmplitude Modulation）などのシングルキャリア方式であってもよい。また、変復調方式は、ＣＤＭＡ（Code Division Multiple Access）などのスペクトラム拡散方式であってもよい。
【０１４４】
（２）上記の実施の形態では無線ＬＡＮの規格がＩＥＥＥ８０２．１１ａであるとして説明したが、無線ＬＡＮの規格はこれに限られるものではなく、例えば、ＩＥＥＥ８０２．１１ｇなどであってもよい。
（３）上記の実施の形態では、無線ＬＡＮの規格としてＩＥＥＥ８０２．１１ａの規格を対象としているため、パケット信号の検出などに利用されるシンボルの繰り返し回数は１０回であるが、シンボルの繰り返し回数はこれに限られるものではなく、対象とする規格などによって適宜変更される。
【０１４５】
（４）上記の第１の実施の形態では、区間分割部３３が相関部３２の出力を区切る一定時間をシンボルのシンボル時間としているが、一定時間はこれに限られるものではない。一定時間は、例えば、シンボルのシンボル時間の２以上の整数倍の時間であってもよい。なお、区間分割部３３を備える他の実施の形態においても同じである。
（５）上記の第１の実施の形態では、区間内の各々のポジションにシーケンシャルな番号を付与し、この番号を区間内における相対的なポジションを示す情報に用いているが、区間内における相対的なポジションを示す情報はこれに限られるものではない。例えば、区間内の各々のポジションに何れかのポジションを基準にした相対的な時間を付与し、付与した時間を区間内における相対的なポジションを示す情報に用いるようにしてもよい。なお、区間ポジション検出部３４，３４ａ，２１６，２３６を備える他の実施の形態においても同じである。
【０１４６】
（６）上記の第１の実施の形態において、区間ポジション検出部３４が区間内における最大の相関値を検出する代わりに、区間ポジション検出部３４が区間内における値が大きい方から所定番目までの相関値を検出し、検出した各々の相関値のポジションを示すポジション情報を同期判定部３５へ出力するようにしてもよい。この場合、同期判定部３５は、区間ポジション検出部３４から入力されるポジション情報に基づいて、所定の連続区間数以上の連続する区間の全てにおいて、一のポジションの相関値が大きい方から所定番目までの相関値であれば、パケット信号が到来していると判断する。
【０１４７】
なお、上記の内容を、例えば、第３及び第８の実施の形態に適用することができる。但し、第３の実施の形態に適用する場合には、同期判定部３５ｂは、積算区間数の区間において、最大ポジション情報が示すポジションの相関値が大きい方から所定番目までの相関値である区間が一致区間数以上あれば、パケット信号が到来していると判断する。
（７）上記の第２の実施の形態では、区間に属する相関値の平均値に固定の係数を乗算することによって当該区間の閾値を決定するようにしている。しかしながら、閾値の決定の仕方はこれに限られるものではなく、例えば、区間に属する平均値に所定の値を加算することによって当該区間の閾値を決定するようにしてもよい。また、閾値として単に平均値を用いるようにしてもよい。なお、上記の内容を、例えば、第４、第９及び第１０の実施の形態に適用することができる。
【０１４８】
（８）上記の第３の実施の形態では、積算区間数を１０としたが、積算区間数は１０に限られるものではなく、例えば、シンボルの繰り返し回数に基づいて決定すればよい。なお、例えば、第４の実施の形態についても同じである。
（９）上記の第３の実施の形態では、閾値区間数を７としたが、閾値区間数は７に限られるものではなく、例えば、積算区間数に応じて閾値区間数を決定すればよい。なお、例えば、第４の実施の形態についても同じである。
【０１４９】
（１０）上記の第３及び第４の実施の形態の夫々に、第５の実施の形態で説明した参照信号演算部６１又は第６の実施の形態で説明した参照信号演算部６１ｅを適用してもよい。
（１１）上記の第３及び第４の実施の形態の夫々に、第６の実施の形態で説明した参照信号リセット部６６を適用してもよい。
【０１５０】
（１２）参照信号の算出に用いる受信したパケット信号は、第５の実施の形態では同期判定部３５ｄによって到来が検出されたパケット信号であり、第６の実施の形態では同期判定部３５ｄによって到来が検出されたパケット信号であって、誤り検出部１５ｅによって全体に誤りが検出されなかったパケット信号である。しかしながら、参照信号の算出に用いる受信したパケット信号はこれらに限られるものではなく、例えば、到来が検出されたパケット信号であって、ヘッダ情報に誤りがなかったパケット信号であってもよい。この場合、例えば、ヘッダ情報中の誤り検出符号による誤り検出能力が同期用トレーニング信号の検出性能より十分大きければ、同期用トレーニング信号以外の部分を用いて参照信号が更新される可能性は低い。
【０１５１】
なお、上記の内容を、参照信号演算部６１，６１ｅを有する実施の形態に適用することができる。
（１３）上記の第５の実施の形態では、参照信号演算部６１による参照信号の算出に、受信したパケット信号の同期用トレーニング信号の最後尾のシンボルのみが利用されている。しかしながら、参照信号演算部６１は、受信したパケット信号の同期用トレーニング信号の例えば次のような部分を利用して新たな参照信号を求めてもよい。
【０１５２】
参照信号演算部６１は、受信したパケット信号の同期用トレーニング信号の最後尾のシンボルから所定のシンボル数のシンボルを平均し、この結果得られた信号を新たな参照信号としてもよい。所定のシンボル数のシンボルを平均化することで、ノイズや干渉等の影響を低減することができる。
また、参照信号演算部６１は、受信したパケット信号の同期用トレーニング信号のシンボルのうち、平均電力値又は平均振幅値が所定の範囲内にあるシンボルを平均し、この結果得られた信号を新たな参照信号としてもよい。受信電力レベルが大きいパケット信号ほどパケット信号の同期用トレーニング信号はＡＧＣによる影響を長時間受ける。このため、同期用トレーニング信号のシンボルのうち平均電力値又は平均振幅値が所定の範囲内にあるシンボルを平均化することで、パケット信号の受信電力レベルが変動しても、ＡＧＣによる影響を受けていないシンボルにより参照信号を求めることが可能になる。
【０１５３】
なお、上記の内容を、参照信号演算部６１ｅなど他の参照信号演算部に適用することができる。
特に、参照信号演算部においてシンボルを平均化する場合には、平均化するシンボルの数を２Ｎ（Ｎは整数）としておけば、加算器とビットシフトだけで平均化を行うことができ、回路規模の増大を抑えることができる。
【０１５４】
（１４）上記の第５の実施の形態では、参照信号演算部６１による参照信号の算出に、最新に受信したパケット信号のみが利用されているが、例えば、最新に受信したパケット信号から所定のパケット数分のパケット信号を用いてもよい。なお、パケット信号を受信する際の搬送波の位相はパケット信号毎に異なる。このため、所定のパケット数分のパケット信号に対して平均化処理を施して参照信号を算出する場合には、シンボルの位相を補正してから平均化する必要がある。具体的には、シンボル間の相関値を求め、相関値の位相成分を求める。この位相成分がシンボル間の位相差を示すので、逆向きの位相回転を与えた後に所定のパケット数分のパケット信号に対して平均化処理を施せばよい。
【０１５５】
なお、上記の内容を、参照信号演算部６１ｅなど他の参照信号演算部に適用することができる。
（１５）上記の第５の実施の形態では、参照信号演算部６１による参照信号の算出には最新に受信したパケット信号が常に用いられるが、例えば、次のようなものであってもよい。
【０１５６】
例えば、参照信号演算部６１は、伝送路変動が比較的速い場合には最新に受信したパケット信号を用いて参照信号の算出を行い、伝送路変動が比較的遅い場合には最新に受信したパケット信号から所定のパケット数分のパケット信号を用いて参照信号の算出を行うようにしてもよい。なお、相関値の変化に基づいて伝送路変動の速さを検出し、検出結果に基づいて参照信号の算出に最新のパケット信号のみを用いるか、最新に受信したパケット信号から所定のパケット数分のパケット信号を用いるかを切り替えるようにすればよい。
【０１５７】
なお、上記の内容を、参照信号演算部６１ｅなど他の参照信号演算部に適用することができる。
（１６）上記の第６の実施の形態では、リセット条件は、パケット信号の誤りが連続して所定の誤り回数のパケット信号で検出されることであるが、リセット条件はこれに限られるものではなく、例えば次のようなものであってもよい。
【０１５８】
リセット条件は連続していなくてもパケット信号の誤りが所定の誤り回数のパケット信号で検出されることであってもよい。
また、リセット条件は、パケット信号のヘッダ情報の誤りが連続して所定の誤り回数のパケット信号で検出されることであってもよく、連続していなくてもパケット信号のヘッダ情報の誤りが所定の誤り回数のパケット信号で検出されることであってもよい。
【０１５９】
さらに、リセット条件は、参照信号記憶部３１の記憶内容が最後に更新されてから所定時間経過することであってもよい。言い換えると、リセット条件は参照信号記憶部３１の記憶内容が所定時間更新されないことであってもよい。なお、一般的に、マルチパス歪みの状態は一定ではなく時間的に変動していることが多いので、一度参照信号が更新された後、参照信号が更新されないまま所定時間経過した場合、マルチパス歪みの状態は参照信号が更新された時点から大きく変わっている可能性が高い。従って、このようにすることで、参照信号が伝送路特性を全く反映しておらず、パケット信号が検出できないという状況を回避することができる。
【０１６０】
さらに、リセット条件は、パケット信号が所定回数到来していると推定される場合に、同期判定部３５ｄによってパケット信号の到来が連続して複数回検出されないことであってもよい。また、リセット条件は、パケット信号が所定回数到来していると推定される場合に、同期判定部３５ｄによってパケット信号の到来が連続していなくても複数回検出されないことであってもよい。なお、パケット信号の到来の推定は、受信信号の受信電力レベルを計測する回路を設け、計測した受信信号の受信電力レベルの変化に基づいて行うことができる。そして、参照信号リセット部６６は、リセット条件に基づく参照信号記憶部３１の記憶内容の更新を、パケット信号の到来の推定結果及び同期判定部３５ｄによるパケット信号の到来の検出結果に基づいて行うようにすればよい。
【０１６１】
なお、上記のリセット条件は他の実施の形態に適用することができる。
（１７）上記の第７及び第１０の実施の形態では、シンボルタイミング合成部１５０にＳＴ信号１３ａ，１３ｂの双方が入力された場合、第１最大相関値及び第２最大相関値に基づいてＳＴ信号１３ａ，１３ｂの一方を選択してＳＴ信号１３としているが、これに限らず、例えば、次のようなものであってもよい。ＳＴ信号１３ａが示すシンボルタイミングとＳＴ信号１３ｂが示すシンボルタイミングとの平均値或いは重み付け合成した合成値を求め、求めたシンボルタイミングをＳＴ信号１３が示すシンボルタイミングにしてもよい。
【０１６２】
（１８）上記の第１０の実施の形態において、第１処理部２１０の区間平均値演算部２１４、区間閾値演算部２１５、区間ポジション検出部２１６、及び同期判定部２１７によって行われる処理内容を、第１の実施の形態の区間ポジション検出部３４、及び同期判定部３５によって行われる処理内容と実質的に同じ処理内容に置き換えてもよい。
また、第１処理部２１０の区間平均値演算部２１４、区間閾値演算部２１５、区間ポジション検出部２１６、及び同期判定部２１７によって行われる処理内容を、第３の実施の形態の相関値積算部５６、最大ポジション検出部５７、区間ポジション検出部３４及び同期判定部３５ｂによって行われる処理内容と実質的に同じ処理内容に置き換えてもよい。
【０１６３】
さらに、第１処理部２１０の区間平均値演算部２１４、区間閾値演算部２１５、区間ポジション検出部２１６、及び同期判定部２１７によって行われる処理内容を、第４の実施の形態の区間平均値演算部５１、区間閾値演算部５２、区間ポジション検出部３４ａ、相関値積算部５６、最大ポジション検出部５７、及び同期判定部３５ｂによって行われる処理内容と実質的に同じ処理内容に置き換えてもよい。
【０１６４】
なお、第２処理部２３０においても上記と同様の置き換えを行ってもよい。
（１９）上記の各実施の形態は、例えば、ＣＳＭＡ（Carrier Sense Multiple Access）方式を用いる無線ＬＡＮシステムの他、ＴＤＭＡ（Time Division Multiple Access）、ＦＤＭＡ（FrequencyDivision Multiple Access）、ＣＤＭＡ（Code Division MultipleAccess）、ＳＤＭＡ（Space Division Multiple Access）などの様々なアクセス方式を用いる無線通信システムに適用することができる。
【０１６５】
（２０）上記の各実施の形態の構成は、典型的には集積回路であるＬＳＩ（Large ScaleIntegration）として実現されてもよい。これらは、個別に１チップ化されてもよいし、各実施の形態の全ての構成または一部の構成を含むように１チップ化されてもよい。
ここでは、ＬＳＩとしたが、集積度の違いにより、ＩＣ（Integrated Circuit）、システムＬＳＩ、スーパーＬＳＩ、ウルトラＬＳＩと呼称されることもある。
【０１６６】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０１６７】
本発明は、パケット信号、特に、ＣＳＭＡ方式やＴＤＭＡ方式のようにバースト的に送信されるパケット信号に付加されたトレーニング信号に基づくパケット信号の到来を検出する信号検出装置に利用することができる。
【図面の簡単な説明】
【０１６８】
【図１】第１の実施の形態の無線通信システムのシステム構成図。
【図２】図１の無線通信システムで送受信されるパケット信号のフォーマットの一例を示す図。
【図３】図１の受信機の装置構成図。
【図４】図３の信号検出部の機能構成図。
【図５】図４の信号検出部の各部の動作を説明するための内部信号の一例を示す図。
【図６】図４の区間ポジション検出部の動作を説明するための図。
【図７】図３の復調部の機能構成図。
【図８】図４の信号検出部による信号検出処理の処理手順を示すフローチャート。
【図９】第２の実施の形態の信号検出部の機能構成図。
【図１０】図９の信号検出部の各部の動作を説明するための内部信号の一例を示す図。
【図１１】図９の区間ポジション検出部の動作を説明するための図。
【図１２】図９の信号検出部による信号検出処理の処理手順を示すフローチャート。
【図１３】第３の実施の形態の信号検出部の機能構成図。
【図１４】図１３の相関値積算部及び最大ポジション検出部の機能を説明するための図。
【図１５】図１３の信号検出部による信号検出処理の処理手順を示すフローチャート。
【図１６】第４の実施の形態の信号検出部の機能構成図。
【図１７】第５の実施の形態の信号検出部の機能構成図。
【図１８】図１７の信号検出部による信号検出処理の処理手順を示すフローチャート。
【図１９】第６の実施の形態の受信機の装置構成図。
【図２０】図１９の信号検出部の機能構成図。
【図２１】図１９の受信機による受信処理の処理手順を示すフローチャート。
【図２２】図２０の参照信号リセット部による参照信号リセット処理の処理手順を示すフローチャート。
【図２３】第７の実施の形態の信号検出部の機能構成図。
【図２４】第８の実施の形態の信号検出部の機能構成図。
【図２５】第９の実施の形態の信号検出部の機能構成図。
【図２６】第１０の実施の形態の信号検出部の機能構成図。
【符号の説明】
【０１６９】
１  無線通信システム
２  送信機
３  受信機
１１  アンテナ
１２  高周波アナログ部
１３  信号検出部
１４  復調部
１５  誤り検出部
３１  参照信号記憶部
３２  相関部
３３  区間分割部
３４  区間ポジション検出部
３５  同期判定部
【手続補正３】
【補正対象書類名】図面
【補正対象項目名】全図
【補正方法】変更
【補正の内容】
【図１】
2007125846.tif 000029
【図２】
2007125846.tif 000030
【図３】
2007125846.tif 000031
【図４】
2007125846.tif 000032
【図５】
2007125846.tif 000033
【図６】
2007125846.tif 000034
【図７】
2007125846.tif 000035
【図８】
2007125846.tif 000036
【図９】
2007125846.tif 000037
【図１０】
2007125846.tif 000038
【図１１】
2007125846.tif 000039
【図１２】
2007125846.tif 000040
【図１３】
2007125846.tif 000041
【図１４】
2007125846.tif 000042
【図１５】
2007125846.tif 000043
【図１６】
2007125846.tif 000044
【図１７】
2007125846.tif 000045
【図１８】
2007125846.tif 000046
【図１９】
2007125846.tif 000047
【図２０】
2007125846.tif 000048
【図２１】
2007125846.tif 000049
【図２２】
2007125846.tif 000050
【図２３】
2007125846.tif 000051
【図２４】
2007125846.tif 000052
【図２５】
2007125846.tif 000053
【図２６】
2007125846.tif 000054
【国際調査報告】
2007125846.tif 000055
2007125846.tif 000056
2007125846.tif 000057